(57)【特許請求の範囲】
【請求項１】
光受信信号を電気受信信号に変換する光電気変換手段と、上記光電気変換手段によって変換された電気受信信号のマーク／スペースを複数の識別レベルで識別し、多値の識別信号を出力する軟判定識別手段と、上記軟判定識別手段によって出力された多値の識別信号を直列並列変換し、多値の並列信号を出力する多重分離手段と、上記多重分離手段によって出力された多値の並列信号から、信頼度情報に基づいて誤り訂正を行い、誤り訂正後の並列受信信号を出力すると共に、前記識別レベル毎のマーク／スペースの識別結果を出力する軟判定誤り訂正復号化手段と、上記軟判定誤り訂正復号化手段によって出力された前記識別レベル毎のマーク／スペースの識別結果に基づいてマーク／スペースの識別頻度の確率密度分布を推定する確率密度分布推定手段と、上記確率密度分布推定手段によって推定された確率密度分布に基づいて上記軟判定識別手段における複数の識別レベルを制御する識別レベル制御手段とを備えた光受信装置。
【請求項２】
光受信信号を電気受信信号に変換するフォトダイオードと、上記フォトダイオードによって変換された電気受信信号のマーク／スペースを２n−１個（ｎは自然数）の識別器で識別し、識別結果を出力する軟判定識別器と、上記軟判定識別器によって識別された２n−１個の識別結果を、信頼度情報を持たせたｎビット並列符号に符号化する符号化器と、上記符号化器によって符号化されたｎビット並列符号をビット毎に多重分離するｎ個の多重分離回路と、上記多重分離回路によって多重分離された多値の信号から、信頼度情報に基づいて誤り訂正を行い、誤り訂正後の並列受信信号を出力すると共に、前記識別レベル毎のマーク／スペースの識別結果を出力する軟判定ＦＥＣ復号化回路と、上記軟判定ＦＥＣ復号化回路によって出力された前記識別レベル毎のマーク／スペースの識別結果に基づいてマーク／スペースの識別頻度の確率密度分布を推定する確率密度分布推定回路と、上記確率密度分布推定回路によって推定された確率密度分布に基づいて上記軟判定識別器における２n−１個の識別器の識別レベルを制御する閾値制御回路とを備えた光受信装置。
【請求項３】
光受信信号を電気受信信号に変換するフォトダイオードと、上記フォトダイオードによって変換された電気受信信号を２ｎ−１個（ｎは自然数）の識別器で識別し、識別結果を出力すると共に、２ｎ−１個の識別器以外に識別レベルを掃引する１個以上の識別器を設けて、電気受信信号を識別し、識別結果を出力する軟判定識別器と、上記軟判定識別器によって識別された２ｎ−１個の識別結果を、信頼度情報を持たせたｎビット並列符号に符号化する符号化器と、上記符号化器によって符号化されたｎビット並列符号および上記軟判定識別器の識別レベルを掃引する１個以上の識別器によって識別された識別結果をビット毎に多重分離するｎ＋１個以上の多重分離回路と、上記多重分離回路によってｎビット並列符号について多重分離された多値の信号から、信頼度情報に基づいて誤り訂正を行い、誤り訂正後の並列受信信号を出力すると共に、各識別レベル毎の判別結果を出力する軟判定ＦＥＣ復号化回路と、上記軟判定ＦＥＣ復号化回路によって出力された各識別レベル毎の情報データの判別結果の分布、および上記多重分離回路によって識別レベルを掃引する１個以上の識別器による識別結果について多重分離された多値の信号に基づいて確率密度分布を推定する確率密度分布推定回路と、上記確率密度分布推定回路によって推定された確率密度分布に基づいて上記軟判定識別器における２ｎ−１個の識別器の識別レベルを制御する閾値制御回路と、上記確率密度分布推定回路によって推定された確率密度分布に基づいて上記軟判定識別器における識別レベルを掃引する１個以上の識別器の識別レベルを制御する閾値掃引制御回路とを備えた光受信装置。
【請求項４】
光受信信号を電気受信信号に変換するフォトダイオードと、上記フォトダイオードによって変換された電気受信信号を２ｎ個（ｎは自然数）以上の識別器で識別し、識別結果を出力する軟判定識別器と、上記軟判定識別器によって識別された２ｎ個以上の識別器の識別結果から２ｎ−１個の識別器の識別結果を選択するセレクタと、上記セレクタによって選択された２ｎ−１個の識別結果を、信頼度情報を持たせたｎビット並列符号に符号化する符号化器と、上記符号化器によって符号化されたｎビット並列符号をビット毎に多重分離するｎ個の多重分離回路と、上記多重分離回路によって多重分離された多値の信号から、信頼度情報に基づいて誤り訂正を行い、誤り訂正後の並列受信信号を出力すると共に、各識別レベル毎の判別結果を出力する軟判定ＦＥＣ復号化回路と、上記軟判定ＦＥＣ復号化回路によって出力された各識別レベル毎の情報データの判別結果の分布に基づいて確率密度分布を推定する確率密度分布推定回路と、上記確率密度分布推定回路によって推定された確率密度分布に基づいて上記セレクタにおける２ｎ−１個の識別器の選択信号を出力する識別器選択制御回路とを備えた光受信装置。
【請求項５】
光受信信号を電気受信信号に変換するフォトダイオードと、上記フォトダイオードによって変換された電気受信信号を２ｎ−１個（ｎは自然数）の識別器で識別し、識別結果を出力すると共に、２ｎ−１個の識別器以外に識別レベルを掃引する１個以上の識別器、および識別位相を掃引する１個以上の識別器を設けて、電気受信信号を識別し、識別結果を出力する軟判定識別器と、上記軟判定識別器によって識別された２ｎ−１個の識別結果を、信頼度情報を持たせたｎビット並列符号に符号化する符号化器と、上記符号化器によって符号化されたｎビット並列符号および上記軟判定識別器の識別レベルを掃引する１個以上の識別器、および識別位相を掃引する１個以上の識別器によって識別された識別結果をビット毎に多重分離するｎ＋２個以上の多重分離回路と、上記多重分離回路によってｎビット並列符号について多重分離された多値の信号から、信頼度情報に基づいて誤り訂正を行い、誤り訂正後の並列受信信号を出力すると共に、各識別レベル毎の判別結果を出力する軟判定ＦＥＣ復号化回路と、上記軟判定ＦＥＣ復号化回路によって出力された各識別レベル毎の情報データの判別結果の分布、および上記多重分離回路によって識別レベルを掃引する１個以上の識別器、および識別位相を掃引する１個以上の識別器による識別結果について多重分離された多値の信号に基づいて確率密度分布を推定する確率密度分布推定回路と、上記確率密度分布推定回路によって推定された確率密度分布に基づいて上記軟判定識別器における２ｎ−１個の識別器の識別レベルを制御する閾値制御回路と、上記確率密度分布推定回路によって推定された確率密度分布に基づいて上記軟判定識別器における識別レベルを掃引する１個以上の識別器の識別レベルを制御する閾値掃引制御回路と、上記確率密度分布推定回路によって推定された確率密度分布に基づいて上記軟判定識別器における２ｎ−１個の識別器、および識別レベルを掃引する１個以上の識別器の識別位相を制御するクロック位相制御回路と、上記確率密度分布推定回路によって推定された確率密度分布に基づいて上記軟判定識別器における識別位相を掃引する１個以上の識別器の識別位相を制御する掃引識別器用クロック位相制御回路とを備えた光受信装置。
【請求項６】
光受信信号を電気受信信号に変換するフォトダイオードと、上記フォトダイオードによって変換された電気受信信号を２ｎ−１個（ｎは自然数）の識別器で識別し、識別結果を出力すると共に、２ｎ−１個の識別器以外に識別レベルを掃引する１個以上の識別器、および識別位相を掃引する１個以上の識別器を設けて、電気受信信号を識別し、識別結果を出力する軟判定識別器と、上記識別レベルを掃引する１個以上の識別器の識別結果、または識別位相を掃引する１個以上の識別器の識別結果を選択するセレクタと、上記軟判定識別器によって識別された２ｎ−１個の識別結果を、信頼度情報を持たせたｎビット並列符号に符号化する符号化器と、上記符号化器によって符号化されたｎビット並列符号および上記セレクタによって選択された上記軟判定識別器の識別レベルを掃引する１個以上の識別器の識別結果、または識別位相を掃引する１個以上の識別器の識別結果をビット毎に多重分離するｎ＋１個以上の多重分離回路と、上記多重分離回路によってｎビット並列符号について多重分離された多値の信号から、信頼度情報に基づいて誤り訂正を行い、誤り訂正後の並列受信信号を出力すると共に、各識別レベル毎の判別結果を出力する軟判定ＦＥＣ復号化回路と、上記軟判定ＦＥＣ復号化回路によって出力された各識別レベル毎の情報データの判別結果の分布、および上記多重分離回路によって識別レベルを掃引する１個以上の識別器、または識別位相を掃引する１個以上の識別器による識別結果について多重分離された多値の信号に基づいて確率密度分布を推定する確率密度分布推定回路と、上記確率密度分布推定回路によって推定された確率密度分布に基づいて上記軟判定識別器における２ｎ−１個の識別器の識別レベルを制御する閾値制御回路と、上記確率密度分布推定回路によって推定された確率密度分布に基づいて上記軟判定識別器における識別レベルを掃引する１個以上の識別器の識別レベルを制御する閾値掃引制御回路と、上記確率密度分布推定回路によって推定された確率密度分布に基づいて上記軟判定識別器における２ｎ−１個の識別器、および識別レベルを掃引する１個以上の識別器の識別位相を制御するクロック位相制御回路と、上記確率密度分布推定回路によって推定された確率密度分布に基づいて上記軟判定識別器における識別位相を掃引する１個以上の識別器の識別位相を制御する掃引識別器用クロック位相制御回路とを備えた光受信装置。
【請求項７】
光受信信号を電気受信信号に変換するフォトダイオードと、上記フォトダイオードによって変換された電気受信信号を２ｎ−１個（ｎは自然数）の識別器で識別し、識別結果を出力すると共に、２ｎ−１個の識別器以外に識別レベルおよび識別位相を掃引する１個以上の識別器を設けて、電気受信信号を識別し、識別結果を出力する軟判定識別器と、上記軟判定識別器によって識別された２ｎ−１個の識別結果を、信頼度情報を持たせたｎビット並列符号に符号化する符号化器と、上記符号化器によって符号化されたｎビット並列符号および上記軟判定識別器の識別レベルおよび識別位相を掃引する１個以上の識別器の識別結果をビット毎に多重分離するｎ＋１個以上の多重分離回路と、上記多重分離回路によってｎビット並列符号について多重分離された多値の信号から、信頼度情報に基づいて誤り訂正を行い、誤り訂正後の並列受信信号を出力すると共に、各識別レベル毎の判別結果を出力する軟判定ＦＥＣ復号化回路と、上記軟判定ＦＥＣ復号化回路によって出力された各識別レベル毎の情報データの判別結果の分布、および上記多重分離回路によって識別レベルおよび識別位相を掃引する１個以上の識別器による識別結果について多重分離された多値の信号に基づいて確率密度分布を推定する確率密度分布推定回路と、上記確率密度分布推定回路によって推定された確率密度分布に基づいて上記軟判定識別器における２ｎ−１個の識別器の識別レベルを制御する閾値制御回路と、上記確率密度分布推定回路によって推定された確率密度分布に基づいて上記軟判定識別器における識別レベルおよび識別位相を掃引する１個以上の識別器の識別レベルを制御する閾値掃引制御回路と、上記確率密度分布推定回路によって推定された確率密度分布に基づいて上記軟判定識別器における２ｎ−１個の識別器の識別位相を制御するクロック位相制御回路と、上記確率密度分布推定回路によって推定された確率密度分布に基づいて上記軟判定識別器における識別レベルおよび識別位相を掃引する１個以上の識別器の識別位相を制御する掃引識別器用クロック位相制御回路とを備えた光受信装置。
【請求項８】
光受信信号を電気受信信号に変換するフォトダイオードと、上記フォトダイオードによって変換された電気受信信号を２ｎ−１個（ｎは自然数）の識別器で識別し、識別結果を出力すると共に、２ｎ−１個の識別器以外に識別レベルを掃引する１個以上の識別器を設けて、電気受信信号を識別し、識別結果を出力する軟判定識別器と、上記軟判定識別器によって識別された２ｎ−１個の識別結果を、信頼度情報を持たせたｎビット並列符号に符号化する符号化器と、上記符号化器によって符号化されたｎビット並列符号および上記軟判定識別器の識別レベルを掃引する１個以上の識別器の識別結果をビット毎に多重分離するｎ＋１個以上の多重分離回路と、上記多重分離回路によってｎビット並列符号について多重分離された多値の信号から、信頼度情報に基づいて誤り訂正を行い、誤り訂正後の並列受信信号を出力すると共に、各識別レベル毎の判別結果を出力する軟判定ＦＥＣ復号化回路と、上記軟判定ＦＥＣ復号化回路によって出力された各識別レベル毎の情報データの判別結果の分布、および上記多重分離回路によって識別レベルを掃引する１個以上の識別器による識別結果について多重分離された多値の信号に基づいて確率密度分布を推定する確率密度分布推定回路と、上記確率密度分布推定回路によって推定された確率密度分布に基づいて上記軟判定識別器における２ｎ−１個の識別器の識別レベルを制御する閾値制御回路と、上記確率密度分布推定回路によって推定された確率密度分布に基づいて上記軟判定識別器における識別レベルを掃引する１個以上の識別器の識別レベルを制御する閾値掃引制御回路と、上記軟判定ＦＥＣ復号化回路による誤り訂正後の誤りカウント数に基づいて上記軟判定識別器における２ｎ−１個の識別器、および識別レベルを掃引する１個以上の識別器の識別位相を制御するクロック位相制御回路とを備えた光受信装置。
【請求項９】
光受信信号を電気受信信号に変換する光電気変換手段と、上記光電気変換手段によって変換された電気受信信号のマーク／スペースを複数の識別レベルで識別し、多値の識別信号を出力する軟判定識別手段と、上記軟判定識別手段によって出力された多値の識別信号から、信頼度情報に基づいて誤り訂正を行い、誤り訂正後の受信信号を出力すると共に、前記識別レベル毎のマーク／スペースの識別結果を出力する軟判定誤り訂正復号化手段と、上記軟判定誤り訂正復号化手段によって出力された前記識別レベル毎のマーク／スペースの識別結果に基づいてマーク／スペースの識別頻度の確率密度分布を推定する確率密度分布推定手段と、上記確率密度分布推定手段によって推定された確率密度分布に基づいて上記軟判定識別手段における複数の識別レベルを制御する識別レベル制御手段とを備えた光受信装置。
【請求項１０】
光受信信号を電気受信信号に変換するフォトダイオードと、上記フォトダイオードによって変換された電気受信信号のマーク／スペースを２n−１個（ｎは自然数）の識別器で識別し、識別結果を出力する軟判定識別器と、上記軟判定識別器によって識別された２n−１個の識別結果を、信頼度情報を持たせたｎビット並列符号に符号化する符号化器と、上記符号化器によって符号化されたｎビット並列符号から、信頼度情報に基づいて誤り訂正を行い、誤り訂正後の受信信号を出力すると共に、前記識別レベル毎のマーク／スペースの識別結果を出力する軟判定ＦＥＣ復号化回路と、上記軟判定ＦＥＣ復号化回路によって出力された前記識別レベル毎のマーク／スペースの識別結果に基づいてマーク／スペースの識別頻度の確率密度分布を推定する確率密度分布推定回路と、上記確率密度分布推定回路によって推定された確率密度分布に基づいて上記軟判定識別器における２n−１個の識別器の識別レベルを制御する閾値制御回路とを備えた光受信装置。
【請求項１１】
光受信信号を電気受信信号に変換するフォトダイオードと、上記フォトダイオードによって変換された電気受信信号を２ｎ−１個（ｎは自然数）の識別器で識別し、識別結果を出力すると共に、２ｎ−１個の識別器以外に識別レベルを掃引する１個以上の識別器を設けて、電気受信信号を識別し、識別結果を出力する軟判定識別器と、上記軟判定識別器によって識別された２ｎ−１個の識別結果を、信頼度情報を持たせたｎビット並列符号に符号化する符号化器と、上記符号化器によって符号化されたｎビット並列符号から、信頼度情報に基づいて誤り訂正を行い、誤り訂正後の受信信号を出力すると共に、各識別レベル毎の判別結果を出力する軟判定ＦＥＣ復号化回路と、上記軟判定ＦＥＣ復号化回路によって出力された各識別レベル毎の情報データの判別結果の分布、および上記軟判定識別器の識別レベルを掃引する１個以上の識別器による識別結果に基づいて確率密度分布を推定する確率密度分布推定回路と、上記確率密度分布推定回路によって推定された確率密度分布に基づいて上記軟判定識別器における２ｎ−１個の識別器の識別レベルを制御する閾値制御回路と、上記確率密度分布推定回路によって推定された確率密度分布に基づいて上記軟判定識別器における識別レベルを掃引する１個以上の識別器の識別レベルを制御する閾値掃引制御回路とを備えた光受信装置。
【請求項１２】
光受信信号を電気受信信号に変換するフォトダイオードと、上記フォトダイオードによって変換された電気受信信号を２ｎ個（ｎは自然数）以上の識別器で識別し、識別結果を出力する軟判定識別器と、上記軟判定識別器によって識別された２ｎ個以上の識別器の識別結果から２ｎ−１個の識別器の識別結果を選択するセレクタと、上記セレクタによって選択された２ｎ−１個の識別結果を、信頼度情報を持たせたｎビット並列符号に符号化する符号化器と、上記符号化器によって符号化されたｎビット並列符号から、信頼度情報に基づいて誤り訂正を行い、誤り訂正後の並列受信信号を出力すると共に、各識別レベル毎の判別結果を出力する軟判定ＦＥＣ復号化回路と、上記軟判定ＦＥＣ復号化回路によって出力された各識別レベル毎の情報データの判別結果の分布に基づいて確率密度分布を推定する確率密度分布推定回路と、上記確率密度分布推定回路によって推定された確率密度分布に基づいて上記セレクタにおける２ｎ−１個の識別器の選択信号を出力する識別器選択制御回路とを備えた光受信装置。
【請求項１３】
光受信信号を電気受信信号に変換するフォトダイオードと、上記フォトダイオードによって変換された電気受信信号を２ｎ−１個（ｎは自然数）の識別器で識別し、識別結果を出力すると共に、２ｎ−１個の識別器以外に識別レベルを掃引する１個以上の識別器、および識別位相を掃引する１個以上の識別器を設けて、電気受信信号を識別し、識別結果を出力する軟判定識別器と、上記軟判定識別器によって識別された２ｎ−１個の識別結果を、信頼度情報を持たせたｎビット並列符号に符号化する符号化器と、上記符号化器によって符号化されたｎビット並列符号から、信頼度情報に基づいて誤り訂正を行い、誤り訂正後の並列受信信号を出力すると共に、各識別レベル毎の判別結果を出力する軟判定ＦＥＣ復号化回路と、上記軟判定ＦＥＣ復号化回路によって出力された各識別レベル毎の情報データの判別結果の分布、および上記軟判定識別器の識別レベルを掃引する１個以上の識別器、および識別位相を掃引する１個以上の識別器による識別結果に基づいて確率密度分布を推定する確率密度分布推定回路と、上記確率密度分布推定回路によって推定された確率密度分布に基づいて上記軟判定識別器における２ｎ−１個の識別器の識別レベルを制御する閾値制御回路と、上記確率密度分布推定回路によって推定された確率密度分布に基づいて上記軟判定識別器における識別レベルを掃引する１個以上の識別器の識別レベルを制御する閾値掃引制御回路と、上記確率密度分布推定回路によって推定された確率密度分布に基づいて上記軟判定識別器における２ｎ−１個の識別器、および識別レベルを掃引する１個以上の識別器の識別位相を制御するクロック位相制御回路と、上記確率密度分布推定回路によって推定された確率密度分布に基づいて上記軟判定識別器における識別位相を掃引する１個以上の識別器の識別位相を制御する掃引識別器用クロック位相制御回路とを備えた光受信装置。
【請求項１４】
光受信信号を電気受信信号に変換するフォトダイオードと、上記フォトダイオードによって変換された電気受信信号を２ｎ−１個（ｎは自然数）の識別器で識別し、識別結果を出力すると共に、２ｎ−１個の識別器以外に識別レベルを掃引する１個以上の識別器、および識別位相を掃引する１個以上の識別器を設けて、電気受信信号を識別し、識別結果を出力する軟判定識別器と、上記識別レベルを掃引する１個以上の識別器の識別結果、または識別位相を掃引する１個以上の識別器の識別結果を選択するセレクタと、上記軟判定識別器によって識別された２ｎ−１個の識別結果を、信頼度情報を持たせたｎビット並列符号に符号化する符号化器と、上記符号化器によって符号化されたｎビット並列符号から、信頼度情報に基づいて誤り訂正を行い、誤り訂正後の並列受信信号を出力すると共に、各識別レベル毎の判別結果を出力する軟判定ＦＥＣ復号化回路と、上記軟判定ＦＥＣ復号化回路によって出力された各識別レベル毎の情報データの判別結果の分布、および上記軟判定識別器の識別レベルを掃引する１個以上の識別器、または識別位相を掃引する１個以上の識別器による識別結果に基づいて確率密度分布を推定する確率密度分布推定回路と、上記確率密度分布推定回路によって推定された確率密度分布に基づいて上記軟判定識別器における２ｎ−１個の識別器の識別レベルを制御する閾値制御回路と、上記確率密度分布推定回路によって推定された確率密度分布に基づいて上記軟判定識別器における識別レベルを掃引する１個以上の識別器の識別レベルを制御する閾値掃引制御回路と、上記確率密度分布推定回路によって推定された確率密度分布に基づいて上記軟判定識別器における２ｎ−１個の識別器、および識別レベルを掃引する１個以上の識別器の識別位相を制御するクロック位相制御回路と、上記確率密度分布推定回路によって推定された確率密度分布に基づいて上記軟判定識別器における識別位相を掃引する１個以上の識別器の識別位相を制御する掃引識別器用クロック位相制御回路とを備えた光受信装置。
【請求項１５】
光受信信号を電気受信信号に変換するフォトダイオードと、上記フォトダイオードによって変換された電気受信信号を２ｎ−１個（ｎは自然数）の識別器で識別し、識別結果を出力すると共に、２ｎ−１個の識別器以外に識別レベルおよび識別位相を掃引する１個以上の識別器を設けて、電気受信信号を識別し、識別結果を出力する軟判定識別器と、上記軟判定識別器によって識別された２ｎ−１個の識別結果を、信頼度情報を持たせたｎビット並列符号に符号化する符号化器と、上記符号化器によって符号化されたｎビット並列符号から、信頼度情報に基づいて誤り訂正を行い、誤り訂正後の並列受信信号を出力すると共に、各識別レベル毎の判別結果を出力する軟判定ＦＥＣ復号化回路と、上記軟判定ＦＥＣ復号化回路によって出力された各識別レベル毎の情報データの判別結果の分布、および上記軟判定識別器の識別レベルおよび識別位相を掃引する１個以上の識別器による識別結果に基づいて確率密度分布を推定する確率密度分布推定回路と、上記確率密度分布推定回路によって推定された確率密度分布に基づいて上記軟判定識別器における２ｎ−１個の識別器の識別レベルを制御する閾値制御回路と、上記確率密度分布推定回路によって推定された確率密度分布に基づいて上記軟判定識別器における識別レベルおよび識別位相を掃引する１個以上の識別器の識別レベルを制御する閾値掃引制御回路と、上記確率密度分布推定回路によって推定された確率密度分布に基づいて上記軟判定識別器における２ｎ−１個の識別器の識別位相を制御するクロック位相制御回路と、上記確率密度分布推定回路によって推定された確率密度分布に基づいて上記軟判定識別器における識別レベルおよび識別位相を掃引する１個以上の識別器の識別位相を制御する掃引識別器用クロック位相制御回路とを備えた光受信装置。
【請求項１６】
光受信信号を電気受信信号に変換するフォトダイオードと、上記フォトダイオードによって変換された電気受信信号を２ｎ−１個（ｎは自然数）の識別器で識別し、識別結果を出力すると共に、２ｎ−１個の識別器以外に識別レベルを掃引する１個以上の識別器を設けて、電気受信信号を識別し、識別結果を出力する軟判定識別器と、上記軟判定識別器によって識別された２ｎ−１個の識別結果を、信頼度情報を持たせたｎビット並列符号に符号化する符号化器と、上記符号化器によって符号化されたｎビット並列符号から、信頼度情報に基づいて誤り訂正を行い、誤り訂正後の並列受信信号を出力すると共に、各識別レベル毎の判別結果を出力する軟判定ＦＥＣ復号化回路と、上記軟判定ＦＥＣ復号化回路によって出力された各識別レベル毎の情報データの判別結果の分布、および上記軟判定識別器の識別レベルを掃引する１個以上の識別器による識別結果に基づいて確率密度分布を推定する確率密度分布推定回路と、上記確率密度分布推定回路によって推定された確率密度分布に基づいて上記軟判定識別器における２ｎ−１個の識別器の識別レベルを制御する閾値制御回路と、上記確率密度分布推定回路によって推定された確率密度分布に基づいて上記軟判定識別器における識別レベルを掃引する１個以上の識別器の識別レベルを制御する閾値掃引制御回路と、上記軟判定ＦＥＣ復号化回路による誤り訂正後の誤りカウント数に基づいて上記軟判定識別器における２ｎ−１個の識別器、および識別レベルを掃引する１個以上の識別器の識別位相を制御するクロック位相制御回路とを備えた光受信装置。
【請求項１７】
閾値制御回路は、確率密度分布推定回路によって推定される確率密度分布が最適な分布になるように、軟判定識別器における２ｎ−１個の識別器の識別レベルを制御することを特徴とする請求項２または請求項１０記載の光受信装置。
【請求項１８】
確率密度分布推定回路は、２ｎ−１個の識別器のうちの少なくとも１つ以上の判別結果、および識別レベルを掃引する１個以上の識別器の判別結果に基づいて確率密度分布を推定し、閾値制御回路は、上記確率密度分布推定回路によって推定される確率密度分布が最適な分布になるように、識別レベルを制御することを特徴とする請求項３または請求項１１記載の光受信装置。
【請求項１９】
確率密度分布推定回路は、識別レベルを掃引する１個以上の識別器の判別結果に基づいて確率密度分布を推定し、閾値制御回路は、上記確率密度分布推定回路によって推定される確率密度分布に基づいて、２ｎ−１個の識別器から得られる確率密度分布が最適な分布になるように、識別レベルを制御することを特徴とする請求項３または請求項１１記載の光受信装置。
【請求項２０】
識別器選択制御回路は、確率密度分布推定回路によって推定される確率密度分布が最適な分布になるように、セレクタにおける２ｎ−１個の識別器の選択信号を出力することを特徴とする請求項４または請求項１２記載の光受信装置。
【請求項２１】
最適な確率密度分布は、正規分布であることを特徴とする請求項１７から請求項２０のうちのいずれか１項記載の光受信装置。
【請求項２２】
符号化器は、２ｎ−１個の識別結果のうちの中央の識別レベルでの硬判定の識別結果と、中央の識別レベル以外の識別結果に基づくその硬判定の識別結果に対応した信頼度情報とからなるｎビット並列符号に符号化することを特徴とする請求項２から請求項４および請求項１０から請求項１２のうちのいずれか１項記載の光受信装置。
【請求項２３】
符号化器は、中央の識別レベル以外の識別結果として有り得ない識別結果が出力された場合に、優先度情報に従って符号化することを特徴とする請求項２２項記載の光受信装置。
【請求項２４】
優先度情報は、識別結果のうちの中央の識別レベルでの識別結果ほど優先度を高くすることを特徴とする請求項２３記載の光受信装置。
【請求項２５】
符号化器は、中央の識別レベル以外の識別結果として有り得ない識別結果が出力された場合に、符号化可能なパタンへ訂正するビット数が最も少ないパタンに訂正し、訂正後のパタンが複数ある場合には、中央の識別レベルでの識別結果ほど訂正が無いパタンを訂正パタンとし、その訂正パタンに応じて信頼度情報を生成することを特徴とする請求項２２記載の光受信装置。
【請求項２６】
符号化器は、２ｎ−１個の識別結果のうちの高い識別レベルに設定された識別器での有意の識別結果を優先し、その識別結果を有意とした高い識別レベルに応じて、硬判定の識別結果およびその硬判定の識別結果に対応した信頼度情報とからなるｎビット並列符号に符号化することを特徴とする請求項２から請求項４および請求項１０から請求項１２のうちのいずれか１項記載の光受信装置。
【請求項２７】
符号化器は、２ｎ−１個の識別結果のうちの低い識別レベルに設定された識別器での無意の識別結果を優先し、その識別結果を無意とした低い識別レベルに応じて、硬判定の識別結果およびその硬判定の識別結果に対応した信頼度情報とからなるｎビット並列符号に符号化することを特徴とする請求項２から請求項４および請求項１０から請求項１２のうちのいずれか１項記載の光受信装置。
【請求項２８】
符号化器は、中央の識別レベルより高い識別レベルに設定された識別器の識別結果または中央の識別レベルより低い識別レベルに設定された識別器の識別結果の有意または無意の識別個数に応じて信頼度情報を生成することを特徴とする請求項２２記載の光受信装置。
【請求項２９】
符号化器は、２ｎ−１個の識別結果の有意または無意の識別個数に応じて、硬判定の識別結果およびその硬判定の識別結果に対応した信頼度情報とからなるｎビット並列符号に符号化することを特徴とする請求項２から請求項４および請求項１０から請求項１２のうちのいずれか１項記載の光受信装置。
【請求項３０】
符号化器は、２ｎ−１個の識別結果のうちの高い識別レベルに設定された識別器での有意の識別結果を優先し、その識別結果を有意とした高い識別レベルに応じて、硬判定の識別結果およびその硬判定の識別結果に対応した信頼度情報とからなるｎビット並列符号に符号化する有意優先ビット符号化回路と、２ｎ−１個の識別結果のうちの低い識別レベルに設定された識別器での無意の識別結果を優先し、その識別結果を無意とした低い識別レベルに応じて、硬判定の識別結果およびその硬判定の識別結果に対応した信頼度情報とからなるｎビット並列符号に符号化する無意優先ビット符号化回路と、上記有意優先ビット符号化回路または上記無意優先ビット符号化回路によって符号化された一方のｎビット並列符号を選択して出力すると共に、その出力した少なくとも１つ以上前のｎビット並列符号に基づいて、それら有意優先ビット符号化回路または無意優先ビット符号化回路によって符号化されたｎビット並列符号の選択を切換える優先度選択回路とを備えたことを特徴とする請求項２から請求項４および請求項１０から請求項１２のうちのいずれか１項記載の光受信装置。
【請求項３１】
符号化器は、２ｎ−１個の識別結果のうちの上端下端の識別レベルに設定された識別器での識別結果を優先し、それら識別結果として有り得ない識別結果が得られた場合に、１つ内側の識別レベルに設定された識別器での識別結果に基づいて訂正して、硬判定の識別結果およびその硬判定の識別結果に対応した信頼度情報とからなるｎビット並列符号に符号化することを特徴とする請求項２から請求項４および請求項１０から請求項１２のうちのいずれか１項記載の光受信装置。
【請求項３２】
各識別器からの判別結果の分布が同一になるように閾値制御回路から各識別器への識別レベルを制御させ、それら各識別器を制御する識別レベルの差から各識別器の識別レベル誤差を検出する識別レベル誤差検出部を備え、上記閾値制御回路は、軟判定識別器における２ｎ−１個の識別器の識別レベルを上記識別レベル誤差検出部によって検出された各識別レベル誤差で補正して制御することを特徴とする請求項２または請求項１０記載の光受信装置。
【請求項３３】
識別レベルを掃引する識別器からの識別結果と各識別器からの識別結果とが同一になるように閾値制御回路から各識別器への識別レベルを制御させ、閾値掃引制御回路からの識別レベルを掃引する識別器を制御する識別レベルとその閾値制御回路からのそれら各識別器を制御する識別レベルの差から各識別器の識別レベル誤差を検出する識別レベル誤差検出部を備え、上記閾値制御回路は、軟判定識別器における２ｎ−１個の識別器の識別レベルを上記識別レベル誤差検出部によって検出された各識別レベル誤差で補正して制御することを特徴とする請求項３または請求項１１記載の光受信装置。
【請求項３４】
確率密度分布推定手段および識別レベル制御手段を、軟判定誤り訂正復号化手段によって出力された各識別レベル毎の情報データの判別結果を保持するレジスタと、上記レジスタに保持された判別結果に基づいて確率密度分布を推定し、その推定した確率密度分布に基づいて軟判定識別手段における複数の識別レベルを制御するディジタル演算処理部としたことを特徴とする請求項１または請求項９記載の光受信装置。
【発明の詳細な説明】
【０００１】
【発明の属する技術分野】
この発明は、光伝送後の信号品質劣化を補償し、高品質な伝送サービスを提供する長距離・大容量の光受信装置に関するものである。
【０００２】
【従来の技術】
図６０は例えばＩＴＵ−ＴＧ．９７５勧告に示された従来の光受信装置を示す構成図であり、図において、１は光受信装置、２は伝送路、３は光電気変換手段、４は硬判定識別手段、５は多重分離手段、６はＦＥＣ（Ｆｏｒｗａｒｄ  Ｅｒｒｏｒ  Ｃｏｒｒｅｃｔｉｏｎ）復号化手段である。
【０００３】
次に動作について説明する。
伝送路２を通じて光受信装置１に到達した光受信信号は、光電気変換手段３において電気受信信号に変換され、硬判定識別手段４において識別され、多重分離手段５において直列並列変換され、ＦＥＣ復号化手段６において伝送路２での信号品質劣化によるビット誤りを訂正され、並列受信信号が出力される。
【０００４】
図６１は硬判定識別手段に入力される電気受信信号を示す波形図であり、伝送路２から入力された光受信信号の品質劣化が小さく、良好な受信状態では図６１（ａ）に示すように電気受信波形のアイは大きく開いている。一方、光受信信号の品質劣化が大きく、劣悪な受信状態では、図６１（ｂ）に示すように電気受信波形のアイ開口が小さくなり、マーク側の劣化が顕著になる。このため、硬判定識別手段４では、劣悪な受信状態でのビット誤り率が得られるように、マーク／スペースを判断する識別レベルが設定されている。
【０００５】
【発明が解決しようとする課題】
従来の光受信装置は以上のように構成されているので、硬判定識別手段４では、マーク／スペースの２値の判定（硬判定）しており、誤り訂正能力の向上のためには、伝送速度を上昇させて情報ビットに対する誤り訂正符号の冗長ビットの比率を高くする手法がある。しかし、伝送速度の上昇率と光伝送品質の劣化量にはトレードオフの関係があること、また、高速なデバイスが必要となり、低コスト化が困難となること等の点から、高速・大容量の光受信装置では伝送品質の向上が困難になるなどの課題があった。
【０００６】
この発明は上記のような課題を解決するためになされたもので、伝送速度を上昇させること無く、高速・大容量伝送の伝送品質を向上させる光受信装置を得ることを目的とする。
【０００７】
【課題を解決するための手段】
この発明に係る光受信装置は、電気受信信号のマーク／スペースを複数の識別レベルで識別し、多値の識別信号を出力する軟判定識別手段と、多値の識別信号を直列並列変換し、多値の並列信号を出力する多重分離手段と、多値の並列信号から、信頼度情報に基づいて誤り訂正を行い、誤り訂正後の並列受信信号を出力すると共に、識別レベル毎のマーク／スペースの識別結果を出力する軟判定誤り訂正復号化手段と、識別レベル毎のマーク／スペースの識別結果に基づいてマーク／スペースの識別頻度の確率密度分布を推定する確率密度分布推定手段と、確率密度分布に基づいて軟判定識別手段における複数の識別レベルを制御する識別レベル制御手段とを備えたものである。
【０００８】
この発明に係る光受信装置は、電気受信信号のマーク／スペースを２n−１個の識別器で識別し、識別結果を出力する軟判定識別器と、２n−１個の識別結果を、信頼度情報を持たせたｎビット並列符号に符号化する符号化器と、ｎビット並列符号をビット毎に多重分離するｎ個の多重分離回路と、多重分離された多値の信号から、信頼度情報に基づいて誤り訂正を行い、誤り訂正後の並列受信信号を出力すると共に、識別レベル毎のマーク／スペースの識別結果を出力する軟判定ＦＥＣ復号化回路と、識別レベル毎のマーク／スペースの識別結果に基づいてマーク／スペースの識別頻度の確率密度分布を推定する確率密度分布推定回路と、確率密度分布に基づいて軟判定識別器における２n−１個の識別器の識別レベルを制御する閾値制御回路とを備えたものである。
【０００９】
この発明に係る光受信装置は、電気受信信号を２ｎ−１個の識別器で識別し、識別結果を出力すると共に、２ｎ−１個の識別器以外に識別レベルを掃引する１個以上の識別器を設けて、電気受信信号を識別し、識別結果を出力する軟判定識別器と、２ｎ−１個の識別結果を、信頼度情報を持たせたｎビット並列符号に符号化する符号化器と、ｎビット並列符号および軟判定識別器の識別レベルを掃引する１個以上の識別器によって識別された識別結果をビット毎に多重分離するｎ＋１個以上の多重分離回路と、ｎビット並列符号について多重分離された多値の信号から、信頼度情報に基づいて誤り訂正を行い、誤り訂正後の並列受信信号を出力すると共に、各識別レベル毎の判別結果を出力する軟判定ＦＥＣ復号化回路と、各識別レベル毎の情報データの判別結果の分布、および多重分離回路によって識別レベルを掃引する１個以上の識別器による識別結果に基づいて確率密度分布を推定する確率密度分布推定回路と、確率密度分布に基づいて軟判定識別器における２ｎ−１個の識別器の識別レベルを制御する閾値制御回路と、確率密度分布に基づいて軟判定識別器における識別レベルを掃引する１個以上の識別器の識別レベルを制御する閾値掃引制御回路とを備えたものである。
【００１０】
この発明に係る光受信装置は、電気受信信号を２ｎ個以上の識別器で識別し、識別結果を出力する軟判定識別器と、２ｎ個以上の識別器の識別結果から２ｎ−１個の識別器の識別結果を選択するセレクタと、２ｎ−１個の識別結果を、信頼度情報を持たせたｎビット並列符号に符号化する符号化器と、ｎビット並列符号をビット毎に多重分離するｎ個の多重分離回路と、多重分離された多値の信号から、信頼度情報に基づいて誤り訂正を行い、誤り訂正後の並列受信信号を出力すると共に、各識別レベル毎の判別結果を出力する軟判定ＦＥＣ復号化回路と、各識別レベル毎の情報データの判別結果の分布に基づいて確率密度分布を推定する確率密度分布推定回路と、確率密度分布に基づいてセレクタにおける２ｎ−１個の識別器の選択信号を出力する識別器選択制御回路とを備えたものである。
【００１１】
この発明に係る光受信装置は、電気受信信号を２ｎ−１個の識別器で識別し、識別結果を出力すると共に、２ｎ−１個の識別器以外に識別レベルを掃引する１個以上の識別器、および識別位相を掃引する１個以上の識別器を設けて、電気受信信号を識別し、識別結果を出力する軟判定識別器と、２ｎ−１個の識別結果を、信頼度情報を持たせたｎビット並列符号に符号化する符号化器と、ｎビット並列符号および軟判定識別器の識別レベルを掃引する１個以上の識別器、および識別位相を掃引する１個以上の識別器によって識別された識別結果をビット毎に多重分離するｎ＋２個以上の多重分離回路と、ｎビット並列符号について多重分離された多値の信号から、信頼度情報に基づいて誤り訂正を行い、誤り訂正後の並列受信信号を出力すると共に、各識別レベル毎の判別結果を出力する軟判定ＦＥＣ復号化回路と、各識別レベル毎の情報データの判別結果の分布、および多重分離回路によって識別レベルを掃引する１個以上の識別器、および識別位相を掃引する１個以上の識別器による識別結果に基づいて確率密度分布を推定する確率密度分布推定回路と、確率密度分布に基づいて軟判定識別器における２ｎ−１個の識別器の識別レベルを制御する閾値制御回路と、確率密度分布に基づいて軟判定識別器における識別レベルを掃引する１個以上の識別器の識別レベルを制御する閾値掃引制御回路と、確率密度分布に基づいて軟判定識別器における２ｎ−１個の識別器、および識別レベルを掃引する１個以上の識別器の識別位相を制御するクロック位相制御回路と、確率密度分布に基づいて軟判定識別器における識別位相を掃引する１個以上の識別器の識別位相を制御する掃引識別器用クロック位相制御回路とを備えたものである。
【００１２】
この発明に係る光受信装置は、電気受信信号を２ｎ−１個の識別器で識別し、識別結果を出力すると共に、２ｎ−１個の識別器以外に識別レベルを掃引する１個以上の識別器、および識別位相を掃引する１個以上の識別器を設けて、電気受信信号を識別し、識別結果を出力する軟判定識別器と、識別レベルを掃引する１個以上の識別器の識別結果、または識別位相を掃引する１個以上の識別器の識別結果を選択するセレクタと、２ｎ−１個の識別結果を、信頼度情報を持たせたｎビット並列符号に符号化する符号化器と、ｎビット並列符号およびセレクタによって選択された軟判定識別器の識別レベルを掃引する１個以上の識別器の識別結果、または識別位相を掃引する１個以上の識別器の識別結果をビット毎に多重分離するｎ＋１個以上の多重分離回路と、ｎビット並列符号について多重分離された多値の信号から、信頼度情報に基づいて誤り訂正を行い、誤り訂正後の並列受信信号を出力すると共に、各識別レベル毎の判別結果を出力する軟判定ＦＥＣ復号化回路と、各識別レベル毎の情報データの判別結果の分布、および多重分離回路によって識別レベルを掃引する１個以上の識別器、または識別位相を掃引する１個以上の識別器による識別結果について多重分離された多値の信号に基づいて確率密度分布を推定する確率密度分布推定回路と、確率密度分布に基づいて軟判定識別器における２ｎ−１個の識別器の識別レベルを制御する閾値制御回路と、確率密度分布に基づいて軟判定識別器における識別レベルを掃引する１個以上の識別器の識別レベルを制御する閾値掃引制御回路と、確率密度分布に基づいて軟判定識別器における２ｎ−１個の識別器、および識別レベルを掃引する１個以上の識別器の識別位相を制御するクロック位相制御回路と、確率密度分布に基づいて軟判定識別器における識別位相を掃引する１個以上の識別器の識別位相を制御する掃引識別器用クロック位相制御回路とを備えたものである。
【００１３】
この発明に係る光受信装置は、電気受信信号を２ｎ−１個の識別器で識別し、識別結果を出力すると共に、２ｎ−１個の識別器以外に識別レベルおよび識別位相を掃引する１個以上の識別器を設けて、電気受信信号を識別し、識別結果を出力する軟判定識別器と、２ｎ−１個の識別結果を、信頼度情報を持たせたｎビット並列符号に符号化する符号化器と、ｎビット並列符号および軟判定識別器の識別レベルおよび識別位相を掃引する１個以上の識別器の識別結果をビット毎に多重分離するｎ＋１個以上の多重分離回路と、ｎビット並列符号について多重分離された多値の信号から、信頼度情報に基づいて誤り訂正を行い、誤り訂正後の並列受信信号を出力すると共に、各識別レベル毎の判別結果を出力する軟判定ＦＥＣ復号化回路と、各識別レベル毎の情報データの判別結果の分布、および多重分離回路によって識別レベルおよび識別位相を掃引する１個以上の識別器による識別結果について多重分離された多値の信号に基づいて確率密度分布を推定する確率密度分布推定回路と、確率密度分布に基づいて軟判定識別器における２ｎ−１個の識別器の識別レベルを制御する閾値制御回路と、確率密度分布に基づいて軟判定識別器における識別レベルおよび識別位相を掃引する１個以上の識別器の識別レベルを制御する閾値掃引制御回路と、確率密度分布に基づいて軟判定識別器における２ｎ−１個の識別器の識別位相を制御するクロック位相制御回路と、確率密度分布に基づいて軟判定識別器における識別レベルおよび識別位相を掃引する１個以上の識別器の識別位相を制御する掃引識別器用クロック位相制御回路とを備えたものである。
【００１４】
この発明に係る光受信装置は、電気受信信号を２ｎ−１個の識別器で識別し、識別結果を出力すると共に、２ｎ−１個の識別器以外に識別レベルを掃引する１個以上の識別器を設けて、電気受信信号を識別し、識別結果を出力する軟判定識別器と、２ｎ−１個の識別結果を、信頼度情報を持たせたｎビット並列符号に符号化する符号化器と、ｎビット並列符号および軟判定識別器の識別レベルを掃引する１個以上の識別器の識別結果をビット毎に多重分離するｎ＋１個以上の多重分離回路と、ｎビット並列符号について多重分離された多値の信号から、信頼度情報に基づいて誤り訂正を行い、誤り訂正後の並列受信信号を出力すると共に、各識別レベル毎の判別結果を出力する軟判定ＦＥＣ復号化回路と、各識別レベル毎の情報データの判別結果の分布、および多重分離回路によって識別レベルを掃引する１個以上の識別器による識別結果について多重分離された多値の信号に基づいて確率密度分布を推定する確率密度分布推定回路と、確率密度分布に基づいて軟判定識別器における２ｎ−１個の識別器の識別レベルを制御する閾値制御回路と、確率密度分布に基づいて軟判定識別器における識別レベルを掃引する１個以上の識別器の識別レベルを制御する閾値掃引制御回路と、軟判定ＦＥＣ復号化回路による誤り訂正後の誤りカウント数に基づいて軟判定識別器における２ｎ−１個の識別器、および識別レベルを掃引する１個以上の識別器の識別位相を制御するクロック位相制御回路とを備えたものである。
【００１５】
この発明に係る光受信装置は、電気受信信号のマーク／スペースを複数の識別レベルで識別し、多値の識別信号を出力する軟判定識別手段と、多値の識別信号から、信頼度情報に基づいて誤り訂正を行い、誤り訂正後の受信信号を出力すると共に、識別レベル毎のマーク／スペースの識別結果を出力する軟判定誤り訂正復号化手段と、識別レベル毎のマーク／スペースの識別結果に基づいてマーク／スペースの識別頻度の確率密度分布を推定する確率密度分布推定手段と、確率密度分布に基づいて軟判定識別手段における複数の識別レベルを制御する識別レベル制御手段とを備えたものである。
【００１６】
この発明に係る光受信装置は、電気受信信号のマーク／スペースを２n−１個の識別器で識別し、識別結果を出力する軟判定識別器と、２n−１個の識別結果を、信頼度情報を持たせたｎビット並列符号に符号化する符号化器と、ｎビット並列符号から、信頼度情報に基づいて誤り訂正を行い、誤り訂正後の受信信号を出力すると共に、識別レベル毎のマーク／スペースの識別結果を出力する軟判定ＦＥＣ復号化回路と、識別レベル毎のマーク／スペースの識別結果に基づいてマーク／スペースの識別頻度の確率密度分布を推定する確率密度分布推定回路と、確率密度分布に基づいて軟判定識別器における２n−１個の識別器の識別レベルを制御する閾値制御回路とを備えたものである。
【００１７】
この発明に係る光受信装置は、電気受信信号を２ｎ−１個の識別器で識別し、識別結果を出力すると共に、２ｎ−１個の識別器以外に識別レベルを掃引する１個以上の識別器を設けて、電気受信信号を識別し、識別結果を出力する軟判定識別器と、２ｎ−１個の識別結果を、信頼度情報を持たせたｎビット並列符号に符号化する符号化器と、ｎビット並列符号から、信頼度情報に基づいて誤り訂正を行い、誤り訂正後の受信信号を出力すると共に、各識別レベル毎の判別結果を出力する軟判定ＦＥＣ復号化回路と、各識別レベル毎の情報データの判別結果の分布、および軟判定識別器の識別レベルを掃引する１個以上の識別器による識別結果に基づいて確率密度分布を推定する確率密度分布推定回路と、確率密度分布に基づいて軟判定識別器における２ｎ−１個の識別器の識別レベルを制御する閾値制御回路と、確率密度分布に基づいて軟判定識別器における識別レベルを掃引する１個以上の識別器の識別レベルを制御する閾値掃引制御回路とを備えたものである。
【００１８】
この発明に係る光受信装置は、電気受信信号を２ｎ個以上の識別器で識別し、識別結果を出力する軟判定識別器と、２ｎ個以上の識別器の識別結果から２ｎ−１個の識別器の識別結果を選択するセレクタと、２ｎ−１個の識別結果を、信頼度情報を持たせたｎビット並列符号に符号化する符号化器と、ｎビット並列符号から、信頼度情報に基づいて誤り訂正を行い、誤り訂正後の並列受信信号を出力すると共に、各識別レベル毎の判別結果を出力する軟判定ＦＥＣ復号化回路と、各識別レベル毎の情報データの判別結果の分布に基づいて確率密度分布を推定する確率密度分布推定回路と、確率密度分布に基づいてセレクタにおける２ｎ−１個の識別器の選択信号を出力する識別器選択制御回路とを備えたものである。
【００１９】
この発明に係る光受信装置は、電気受信信号を２ｎ−１個の識別器で識別し、識別結果を出力すると共に、２ｎ−１個の識別器以外に識別レベルを掃引する１個以上の識別器、および識別位相を掃引する１個以上の識別器を設けて、電気受信信号を識別し、識別結果を出力する軟判定識別器と、２ｎ−１個の識別結果を、信頼度情報を持たせたｎビット並列符号に符号化する符号化器と、ｎビット並列符号から、信頼度情報に基づいて誤り訂正を行い、誤り訂正後の並列受信信号を出力すると共に、各識別レベル毎の判別結果を出力する軟判定ＦＥＣ復号化回路と、各識別レベル毎の情報データの判別結果の分布、および軟判定識別器の識別レベルを掃引する１個以上の識別器、および識別位相を掃引する１個以上の識別器による識別結果に基づいて確率密度分布を推定する確率密度分布推定回路と、確率密度分布に基づいて軟判定識別器における２ｎ−１個の識別器の識別レベルを制御する閾値制御回路と、確率密度分布に基づいて軟判定識別器における識別レベルを掃引する１個以上の識別器の識別レベルを制御する閾値掃引制御回路と、確率密度分布に基づいて軟判定識別器における２ｎ−１個の識別器、および識別レベルを掃引する１個以上の識別器の識別位相を制御するクロック位相制御回路と、確率密度分布に基づいて軟判定識別器における識別位相を掃引する１個以上の識別器の識別位相を制御する掃引識別器用クロック位相制御回路とを備えたものである。
【００２０】
この発明に係る光受信装置は、電気受信信号を２ｎ−１個の識別器で識別し、識別結果を出力すると共に、２ｎ−１個の識別器以外に識別レベルを掃引する１個以上の識別器、および識別位相を掃引する１個以上の識別器を設けて、電気受信信号を識別し、識別結果を出力する軟判定識別器と、識別レベルを掃引する１個以上の識別器の識別結果、または識別位相を掃引する１個以上の識別器の識別結果を選択するセレクタと、２ｎ−１個の識別結果を、信頼度情報を持たせたｎビット並列符号に符号化する符号化器と、ｎビット並列符号から、信頼度情報に基づいて誤り訂正を行い、誤り訂正後の並列受信信号を出力すると共に、各識別レベル毎の判別結果を出力する軟判定ＦＥＣ復号化回路と、各識別レベル毎の情報データの判別結果の分布、および軟判定識別器の識別レベルを掃引する１個以上の識別器、または識別位相を掃引する１個以上の識別器による識別結果に基づいて確率密度分布を推定する確率密度分布推定回路と、確率密度分布に基づいて軟判定識別器における２ｎ−１個の識別器の識別レベルを制御する閾値制御回路と、確率密度分布に基づいて軟判定識別器における識別レベルを掃引する１個以上の識別器の識別レベルを制御する閾値掃引制御回路と、確率密度分布に基づいて軟判定識別器における２ｎ−１個の識別器、および識別レベルを掃引する１個以上の識別器の識別位相を制御するクロック位相制御回路と、確率密度分布に基づいて軟判定識別器における識別位相を掃引する１個以上の識別器の識別位相を制御する掃引識別器用クロック位相制御回路とを備えたものである。
【００２１】
この発明に係る光受信装置は、電気受信信号を２ｎ−１個の識別器で識別し、識別結果を出力すると共に、２ｎ−１個の識別器以外に識別レベルおよび識別位相を掃引する１個以上の識別器を設けて、電気受信信号を識別し、識別結果を出力する軟判定識別器と、２ｎ−１個の識別結果を、信頼度情報を持たせたｎビット並列符号に符号化する符号化器と、ｎビット並列符号から、信頼度情報に基づいて誤り訂正を行い、誤り訂正後の並列受信信号を出力すると共に、各識別レベル毎の判別結果を出力する軟判定ＦＥＣ復号化回路と、各識別レベル毎の情報データの判別結果の分布、および軟判定識別器の識別レベルおよび識別位相を掃引する１個以上の識別器による識別結果に基づいて確率密度分布を推定する確率密度分布推定回路と、確率密度分布に基づいて軟判定識別器における２ｎ−１個の識別器の識別レベルを制御する閾値制御回路と、確率密度分布に基づいて軟判定識別器における識別レベルおよび識別位相を掃引する１個以上の識別器の識別レベルを制御する閾値掃引制御回路と、確率密度分布に基づいて軟判定識別器における２ｎ−１個の識別器の識別位相を制御するクロック位相制御回路と、確率密度分布に基づいて軟判定識別器における識別レベルおよび識別位相を掃引する１個以上の識別器の識別位相を制御する掃引識別器用クロック位相制御回路とを備えたものである。
【００２２】
この発明に係る光受信装置は、電気受信信号を２ｎ−１個の識別器で識別し、識別結果を出力すると共に、２ｎ−１個の識別器以外に識別レベルを掃引する１個以上の識別器を設けて、電気受信信号を識別し、識別結果を出力する軟判定識別器と、２ｎ−１個の識別結果を、信頼度情報を持たせたｎビット並列符号に符号化する符号化器と、ｎビット並列符号から、信頼度情報に基づいて誤り訂正を行い、誤り訂正後の並列受信信号を出力すると共に、各識別レベル毎の判別結果を出力する軟判定ＦＥＣ復号化回路と、各識別レベル毎の情報データの判別結果の分布、および軟判定識別器の識別レベルを掃引する１個以上の識別器による識別結果に基づいて確率密度分布を推定する確率密度分布推定回路と、確率密度分布に基づいて軟判定識別器における２ｎ−１個の識別器の識別レベルを制御する閾値制御回路と、確率密度分布に基づいて軟判定識別器における識別レベルを掃引する１個以上の識別器の識別レベルを制御する閾値掃引制御回路と、軟判定ＦＥＣ復号化回路による誤り訂正後の誤りカウント数に基づいて軟判定識別器における２ｎ−１個の識別器、および識別レベルを掃引する１個以上の識別器の識別位相を制御するクロック位相制御回路とを備えたものである。
【００２３】
この発明に係る光受信装置は、閾値制御回路において、確率密度分布推定回路によって推定される確率密度分布が最適な分布になるように、軟判定識別器における２ｎ−１個の識別器の識別レベルを制御するようにしたものである。
【００２４】
この発明に係る光受信装置は、確率密度分布推定回路において、２ｎ−１個の識別器のうちの少なくとも１つ以上の判別結果、および識別レベルを掃引する１個以上の識別器の判別結果に基づいて確率密度分布を推定し、閾値制御回路において、確率密度分布推定回路によって推定される確率密度分布が最適な分布になるように、識別レベルを制御するようにしたものである。
【００２５】
この発明に係る光受信装置は、確率密度分布推定回路において、識別レベルを掃引する１個以上の識別器の判別結果に基づいて確率密度分布を推定し、閾値制御回路において、確率密度分布推定回路によって推定される確率密度分布に基づいて、２ｎ−１個の識別器から得られる確率密度分布が最適な分布になるように、識別レベルを制御するようにしたものである。
【００２６】
この発明に係る光受信装置は、識別器選択制御回路において、確率密度分布推定回路によって推定される確率密度分布が最適な分布になるように、セレクタにおける２ｎ−１個の識別器の選択信号を出力するようにしたものである。
【００２７】
この発明に係る光受信装置は、最適な確率密度分布を、正規分布であるようにしたものである。
【００２８】
この発明に係る光受信装置は、符号化器において、２ｎ−１個の識別結果のうちの中央の識別レベルでの硬判定の識別結果と、中央の識別レベル以外の識別結果に基づくその硬判定の識別結果に対応した信頼度情報とからなるｎビット並列符号に符号化するようにしたものである。
【００２９】
この発明に係る光受信装置は、符号化器において、軟判定識別器の出力に有り得ない識別結果が得られた場合に、優先度情報に従って符号化するようにしたものである。
【００３０】
この発明に係る光受信装置は、優先度情報を、識別結果のうちの中央の識別レベルでの識別結果ほど優先度を高くするようにしたものである。
【００３１】
この発明に係る光受信装置は、符号化器において、中央の識別レベル以外の識別結果として有り得ない識別結果が出力された場合に、符号化可能なパタンへ訂正するビット数が最も少ないパタンに訂正し、訂正後のパタンが複数ある場合には、中央の識別レベルでの識別結果ほど訂正が無いパタンを訂正パタンとし、その訂正パタンに応じて信頼度情報を生成するようにしたものである。
【００３２】
この発明に係る光受信装置は、符号化器において、２ｎ−１個の識別結果のうちの高い識別レベルに設定された識別器での有意の識別結果を優先し、その識別結果を有意とした高い識別レベルに応じて、硬判定の識別結果およびその硬判定の識別結果に対応した信頼度情報とからなるｎビット並列符号に符号化するようにしたものである。
【００３３】
この発明に係る光受信装置は、符号化器において、２ｎ−１個の識別結果のうちの低い識別レベルに設定された識別器での無意の識別結果を優先し、その識別結果を無意とした低い識別レベルに応じて、硬判定の識別結果およびその硬判定の識別結果に対応した信頼度情報とからなるｎビット並列符号に符号化するようにしたものである。
【００３４】
この発明に係る光受信装置は、符号化器において、中央の識別レベルより高い識別レベルに設定された識別器の識別結果または中央の識別レベルより低い識別レベルに設定された識別器の識別結果の有意または無意の識別個数に応じて信頼度情報を生成するようにしたものである。
【００３５】
この発明に係る光受信装置は、符号化器において、２ｎ−１個の識別結果の有意または無意の識別個数に応じて、硬判定の識別結果およびその硬判定の識別結果に対応した信頼度情報とからなるｎビット並列符号に符号化するようにしたものである。
【００３６】
この発明に係る光受信装置は、有意優先ビット符号化回路または無意優先ビット符号化回路によって符号化された一方のｎビット並列符号を選択して出力すると共に、その出力した少なくとも１つ以上前のｎビット並列符号に基づいて、それら有意優先ビット符号化回路または無意優先ビット符号化回路によって符号化されたｎビット並列符号の選択を切換える優先度選択回路を備えたものである。
【００３７】
この発明に係る光受信装置は、符号化器において、２ｎ−１個の識別結果のうちの上端下端の識別レベルに設定された識別器での識別結果を優先し、それら識別結果として有り得ない識別結果が得られた場合に、１つ内側の識別レベルに設定された識別器での識別結果に基づいて訂正して、硬判定の識別結果およびその硬判定の識別結果に対応した信頼度情報とからなるｎビット並列符号に符号化するようにしたものである。
【００３８】
この発明に係る光受信装置は、各識別器からの判別結果の分布が同一になるように閾値制御回路から各識別器への識別レベルを制御させ、それら各識別器を制御する識別レベルの差から各識別レベル誤差を検出する識別レベル誤差検出部を備え、閾値制御回路において、軟判定識別器における２ｎ−１個の識別器の識別レベルを識別レベル誤差検出部によって検出された各識別レベル誤差で補正して制御するようにしたものである。
【００３９】
この発明に係る光受信装置は、識別レベルを掃引する識別器からの識別結果と各識別器からの識別結果とが同一になるように閾値制御回路から各識別器への識別レベルを制御させ、閾値掃引制御回路からの識別レベルを掃引する識別器を制御する識別レベルとその閾値制御回路からのそれら各識別器を制御する識別レベルの差から各識別レベル誤差を検出する識別レベル誤差検出部を備え、閾値制御回路において、軟判定識別器における２ｎ−１個の識別器の識別レベルを識別レベル誤差検出部によって検出された各識別レベル誤差で補正して制御するようにしたものである。
【００４０】
この発明に係る光受信装置は、確率密度分布推定手段および識別レベル制御手段を、軟判定誤り訂正復号化手段によって出力された各識別レベル毎の情報データの判別結果を保持するレジスタと、レジスタに保持された判別結果に基づいて確率密度分布を推定し、その推定した確率密度分布に基づいて軟判定識別手段における複数の識別レベルを制御するディジタル演算処理部としたものである。
【００４１】
【発明の実施の形態】
以下、この発明の実施の一形態を説明する。
実施の形態１．
図１はこの発明の実施の形態１による光受信装置を示す構成図であり、図において、１は光受信装置、２は伝送路、３は光電気変換手段、７は軟判定識別手段、５は多重分離手段、８は軟判定ＦＥＣ復号化手段（軟判定誤り訂正復号化手段）、９は確率密度分布推定手段、１０は識別レベル制御手段である。
光電気変換手段３は、伝送路２を通じて到達した光受信信号を電気受信信号に変換し、軟判定識別手段７に出力する。軟判定識別手段７は、電気受信信号を複数の識別レベルで識別し、多値の識別信号を多重分離手段５へ出力する。多重分離手段５は、多値の識別信号を直列並列変換して多値の並列信号を軟判定ＦＥＣ復号化手段８へ出力する。軟判定ＦＥＣ復号化手段８は、多値の並列信号から、信頼度情報に基づいて誤り訂正を行い、誤り訂正後の並列受信信号を出力し、また、確率密度分布推定手段９に多値の識別信号のマークとスペースの識別頻度を出力する。確率密度分布推定手段９は、各識別レベル毎の識別頻度結果に基づいて確率密度分布を推定し、識別レベル制御手段１０に推定した確率密度分布を出力する。識別レベル制御手段１０は、確率密度分布に基づいて軟判定識別手段７における複数の識別レベルを適切に制御する。
【００４２】
図２はこの発明の実施の形態１による光受信装置の詳細を示す構成図であり、図において、１１は光電気変換手段３に相当するものであり、光受信信号を電気受信信号に変換し、軟判定識別部１２に出力するフォトダイオードである。
１２は軟判定識別手段７に相当する軟判定識別部である。その軟判定識別部１２において、１３は３ビットの識別信号を得るため異なる識別レベルを持つ７つの識別器であり、各識別器１３において電気受信信号のマーク／スペースを識別するものである。これら識別器１３により軟判定識別器を構成する。１４はそれら識別結果を符号化する符号化器であり、３ビットの並列符号を多重分離部１５に出力するものである。
１５は多重分離手段５に相当する多重分離部であり、その多重分離部１５において、１６はビット毎に直列並列変換する１：１６多重分離回路（多重分離回路）であり、変換した並列信号をＦＥＣ復号部１７に出力するものである。
１７は軟判定ＦＥＣ復号化手段８、確率密度分布推定手段９、および識別レベル制御手段１０に相当するＦＥＣ復号部である。そのＦＥＣ復号部１７において、１８は多重分離部１５によって多重分離された多値の信号から、信頼度情報に基づいて誤り訂正を行い、誤り訂正後の並列信号を出力すると共に、各識別レベル毎の判別結果を確率密度分布推定回路１９に出力する軟判定ＦＥＣ復号化回路である。１９は各識別レベル毎の判別結果の分布に基づいて確率密度分布を推定し、閾値制御回路２０に出力する確率密度分布推定回路である。２０は確率密度分布に基づいて軟判定識別部１２における各識別器１３の識別レベルを算出し、制御信号として軟判定識別部１２に出力する閾値制御回路である。
【００４３】
次に動作について説明する。
図２において、フォトダイオード１１は、光受信信号を電気受信信号に変換して識別レベルの異なる７つの識別器１３に出力する。識別器１３では、各識別器毎の識別レベルでマーク“１”かスペース“０”かの識別が行われる。
図３は電気受信波形に対する各識別器の識別レベルを示す説明図であり、例えば、各識別器１３の識別レベルがこの図３に示すように設定されている場合、７つの識別器１３の識別結果は、８通りある。
図４は各識別器のマークとスペースの８通りの識別結果を示す説明図である。符号化器１４は、各識別器１３の識別結果を受けて、８通りの状態を２進３ビットに符号化する。
図５は８通りの識別結果を３ビット符号化した例を示す説明図である。これにより、符号化された３ビットから、マークに近いマークであるのか、スペースに近いマークであるのか、等の信頼度情報を含む符号に変換される。符号化器１４は、３ビット符号を３並列信号として、多重分離部１５へ出力する。
【００４４】
なお、この実施の形態１では、３ビット符号化の例について示したが、ｎ（ｎは自然数）ビット符号化をしても良い。
図６はｎビット符号化の手順を示すフローチャートである。ステップＳＴ１〜ＳＴ３を処理することにより、ｎビット符号化することができる。なお、ｎビット符号化を行う場合、識別器は２ｎ−１個必要となる。
【００４５】
符号化器１４からの３ビット並列信号は、多重分離部１５に出力される。多重分離部１５では、１：１６多重分離回路１６により、ビット毎に直列並列変換されることで、速度変換された４８ビット並列信号がＦＥＣ復号部１７に出力される。軟判定ＦＥＣ復号化回路１８では、信頼度情報を含んだ４８ビット並列信号からビット誤りを訂正して、１６ビット並列の受信信号を出力する。また、７つの識別器１３のマーク／スペースの識別頻度を確率密度分布推定回路１９へ出力する。確率密度分布推定回路１９では、各識別器１３の識別頻度に基づいて確率密度分布を推定する。
【００４６】
確率密度分布推定回路１９では、信頼度情報を含む信号を一定量見ることで、７つの識別器１３のマークとスペースの識別頻度を採る。軟判定ＦＥＣ復号化回路１８で誤り訂正を行っているので、これに対し各識別器１３での誤り率が得られる。これに基づいて確率密度分布を推定する。推定された確率密度分布は、閾値制御回路２０に出力される。閾値制御回路２０では、７つの識別器１３が最適な識別レベルになるよう、識別レベルを制御する制御信号を７つの識別器１３に出力し帰還制御する。
【００４７】
図７は電気受信波形に対する識別レベルの関係を示す説明図、図８は電気受信波形に対する帰還制御前と後での各識別器でのマークとスペースの識別頻度を示す特性図、図９はこの発明の実施の形態１による帰還制御により各識別器の識別レベルを制御する手法を示すフローチャートである。
以下、帰還制御により各識別器の識別レベルを制御する具体例を図７から図９、特に、図９の処理手順に沿って説明する。図７は電気受信波形に対する識別レベルの関係を示したものであり、各識別器１３は、初期閾値で識別を行い、各識別レベルでの識別累積頻度を採る（ステップＳＴ１１，ＳＴ１２）。その結果、各識別レベルでのマークとスペースの識別頻度は図８（ａ）に示すようになったと仮定する。各識別器１３のマークとスペースの識別頻度は、偏りがあり識別レベルの設定が最適でない（ステップＳＴ１３）。誤り訂正性能が最も高くなる頻度分布があり、ここでは直線的な分布として、この分布に制御する例で説明する。
【００４８】
この分布形状に近づけるために、各識別器１３の識別レベルについて、Ｄ−３のレベルは上げ、Ｄ−２のレベルは下げ、Ｄ＋１、Ｄ＋２、Ｄ＋３のレベルは下げるように設定すると（ステップＳＴ１４）、各識別器１３の識別頻度を所望の形状に近づけることが可能である。図７の帰還制御後閾値により図８（ｂ）のように所望の識別頻度に設定可能となる。
なお、上記例での最適分布は、直線的な分布であるが、例えば、正規分布になるように調整しても良い。
【００４９】
なお、この実施の形態１では、７つの識別器１３の全てから確率密度分布を推定していたが、全ての識別器１３を使わず一部の識別器１３から推定しても良い。
【００５０】
また、この実施の形態１では、各識別レベルでのマークとスペースの識別頻度から確率密度分布を推定したが、以下のように推定しても良い。
各識別器１３で識別された結果のマーク／スペースの割合は、累積値である。マークをスペースと誤判定する確率は、（１／２）ｅｒｆｃ（（Ｉ１−ＩＤｋ）／（σ１・√２））であり、マーク率が１／２ならマークをスペースと誤判定する確率は、（１／４）ｅｒｆｃ（（Ｉ１−ＩＤｋ）／（σ１・√２））となり、ｋ番目の閾値ＩＤｋにおけるマークをスペースと誤判定する確率となる。これをマークについて７つの識別器分算出し、ｅｒｆｃの特性にフィッティングさせると、Ｉ１（マークが識別される平均電圧）と、σ１（マークが識別される分散電圧）が分かる。同様にスペースについても行う。これによって、確率密度分布が推定できる。
【００５１】
以上のように、この実施の形態１では、各識別器１３で複数の識別レベルで受信した多値信号には、マークとスペースの信頼度情報を含み、複数の識別レベルは誤り訂正能力が最も良くなるレベルに設定され、誤り訂正を行う構成とした。そのため、光受信信号の品質が劣化しても、高品質なサービスを提供することが可能な高速・大容量の光受信装置を実現することができる。また、軟判定ＦＥＣ復号化回路１８は、並列展開された並列多値信号と並列化された信頼度情報から誤り訂正を行うので、大規模集積・低消費電力化が可能なＣＭＯＳ  ＬＳＩで構成することができ、装置の小型・低消費電力化が可能となる。
【００５２】
実施の形態２．
図１０はこの発明の実施の形態２による光受信装置の詳細を示す構成図であり、実施の形態１で示した図２の光受信装置１の構成に、２ｎ−１個の識別器１３以外に識別レベルを掃引できる掃引用識別器（識別器）２１と、その識別結果を並列信号に変換する１：１６多重分離回路（多重分離回路）１６と、掃引用識別器２１の識別レベルを制御する閾値掃引制御回路２２を加えたものである。
この掃引用識別器２１による識別結果は、多重分離部１５に出力され、１：１６多重分離回路１６で、１６ビットの並列信号に変換され、確率密度分布推定回路１９に送られる。確率密度分布推定回路１９から、閾値掃引制御回路２２へ推定された確率密度分布が送られる。この分布に基づいて掃引用識別器２１の識別レベルを制御する。
【００５３】
次に動作について説明する。
掃引用識別器２１は、他の識別器１３の識別レベル間を補間する識別レベルに設定され、電気受信信号をマークとスペースに判別する。判別結果は多重分離部１５に送られる。送られるデータは、マークかスペースかの情報ビットである。多重分離部１５では、１：１６多重分離回路１６により速度変換された並列信号を出力する。確率密度分布推定回路１９では、他の７つの識別器１３の判定結果と合わせて、マークとスペースの識別頻度の累積を採る。これより実施の形態１と同様に確率密度分布を推定し、分布を閾値掃引制御回路２２に出力する。掃引用識別器２１へは他の識別器１３の識別レベルを補間する閾値に設定するよう制御信号を閾値掃引制御回路２２から出力する。
図１１はこの発明の実施の形態２による帰還制御により各識別器の識別レベルを制御する手法を示すフローチャートである。
掃引用識別器２１の識別レベルは、識別器１３の識別レベルの間に設定する（ステップＳＴ２１）。掃引用識別器２１の識別レベルが、７つの識別器１３の識別レベルの補間値を採るように制御されれば、掃引用識別器２１がない場合（図９）と同様の手順で、より正確に誤り訂正性能が高くなる所望の分布に調整可能である（ステップＳＴ２２〜ＳＴ２５）。その他の動作は実施の形態１と同様である。
【００５４】
なお、この実施の形態２では、７つの識別器１３と掃引用識別器２１との識別頻度から確率密度分布を推定しているが、７つの識別器１３と掃引用識別器２１の全てを使わずに一部の識別器から推定する、または掃引用識別器２１のみで推定しても良い。
また、この実施の形態２では、掃引用識別器２１、および１：１６多重分離回路１６を通じて直接に、確率密度分布推定回路１９に出力したが、掃引用識別器２１、１：１６多重分離回路１６、軟判定ＦＥＣ復号化回路１８を通じて、確率密度分布推定回路１９に出力するようにしても良い。
さらに、この実施の形態２では、掃引用識別器２１を１個だけ設けた構成について示したが、複数の掃引用識別器２１を設け、それら複数の掃引用識別器２１の識別レベルを閾値掃引制御回路２２によって制御するようにしても良い。
【００５５】
以上のように、この実施の形態２では、２ｎ−１個以外に識別レベルを掃引できる掃引用識別器２１を加えることで、より正確に確率密度分布を推定でき、各識別器１３の識別レベルが高精度に制御可能となる。
なお、この実施の形態２においても、ｎビット符号化が可能である。
【００５６】
実施の形態３．
図１２はこの発明の実施の形態３による光受信装置の詳細を示す構成図であり、８個以上の識別器１３から７個の識別器１３を選択し、７ビット識別信号を出力する構成の光受信装置１の一例である。
図では、実施の形態１で示した図２の光受信装置１の構成において、識別器１３の個数を８個以上に増やし、８個以上の識別器１３から７個の識別器１３を選択するセレクタ２３を備え、閾値制御回路２０の代わりに識別器選択制御回路２４を備えたものである。
８個以上の識別器１３の識別結果をセレクタ２３に出力し、セレクタ２３は、３ビット符号化に必要な７つの識別器１３の識別結果を選択し、符号化器１４に出力する。識別器１３の選択は、実施の形態１と同様に各識別器１３の識別頻度から確率密度分布を推定し、確率密度分布推定回路１９からの確率密度分布に基づいて、識別器選択制御回路２４で決定される。その他の動作は実施の形態１と同様である。
【００５７】
なお、この実施の形態３では、３ビット符号化の一例について示したが、２ｎ個以上の識別器１３から２ｎ−１個の識別器１３を選択する構成とすれば、ｎビット符号化が可能である。
【００５８】
また、この実施の形態３では、選択された７つの識別器１３から確率密度分布を求めていたが、７つ全ての識別器１３を使わずに推定しても良い。
【００５９】
以上のように、この実施の形態３では、符号化に必要な識別器以上の多数の識別器を備えた構成により、微細な識別レベルの制御を行わなくても、容易に精度良く識別器識別分布を得ることができる。
【００６０】
実施の形態４．
図１３はこの発明の実施の形態４による光受信装置の詳細を示す構成図であり、実施の形態２で示した図１０の光受信装置１の構成に、２ｎ−１個の識別器１３以外に識別レベルを掃引できる掃引用識別器（振幅方向：識別器）２５と、識別位相を掃引できる掃引用識別器（位相用：識別器）２６と、その識別結果を並列信号に変換する１：１６多重分離回路（多重分離回路）１６と、２ｎ−１個の識別器１３および掃引用識別器（振幅方向）２５の識別位相を制御するクロック位相制御回路２７と、掃引用識別器（位相用）２６の識別位相を制御する掃引識別器用クロック位相制御回路２８とを加えたものである。
【００６１】
次に動作について説明する。
図１３において、光受信装置は、３ビットの識別信号を得るため、７つの識別器１３を備えている。フォトダイオード１１は、光受信信号を電気受信信号に変換し、軟判定識別部１２に出力する。
軟判定識別部１２は、異なる識別レベルを持つ７つの識別器１３と、識別レベルを掃引できる掃引用識別器２５と、識別位相を掃引できる掃引用識別器２６と、識別結果を符号化する符号化器１４とから構成され、電気信号のマーク／スペースを判別し、７つの識別器１３の識別結果を符号化器１４で符号化し、多重分離部１５に出力する。識別レベル掃引用の掃引用識別器２５と識別位相掃引用の掃引用識別器２６での識別結果も、多重分離部１５へ出力される。
多重分離部１５は、ビット毎に直列並列変換する１：１６多重分離回路１６を備え、変換した並列信号をＦＥＣ復号部１７に出力する。
ＦＥＣ復号部１７は、軟判定ＦＥＣ復号化回路１８と、確率密度分布推定回路１９と、閾値制御回路２０と、閾値掃引制御回路２２と、クロック位相制御回路２７と、掃引識別器用クロック位相制御回路２８とから構成され、符号化器１４で符号化された並列信号が軟判定ＦＥＣ復号化回路１８と、確率密度分布推定回路１９に入力される。識別レベル掃引用の掃引用識別器２５と識別位相掃引用の掃引用識別器２６からの並列信号は、確率密度分布推定回路１９に入力される。軟判定ＦＥＣ復号化回路１８からは、誤り訂正後の並列信号が出力される。確率密度分布推定回路１９は、各識別器の判別結果から分布を推定し、その推定分布が閾値制御回路２０および閾値掃引制御回路２２に送られる。また、クロック位相制御回路２７と掃引識別器用クロック位相制御回路２８へ各位相毎の識別頻度が出力される。閾値制御回路２０および閾値掃引制御回路２２は、推定分布に基づいて閾値を算出して制御信号を軟判定識別部１２に出力する。クロック位相制御回路２７と掃引識別器用クロック位相制御回路２８は、各位相毎の識別頻度に基づいて、所望のクロック位相に調整する。
【００６２】
図１４は識別位相および識別レベルの探索手法を示す説明図、図１５は識別位相の探索手法を示す説明図、図１６は識別レベルＤ＋１での識別頻度を示す特性図、図１７は識別レベルＤ−１での識別頻度を示す特性図である。
図１４は識別器１３の識別レベルおよび識別位相を調整するために、受信電気波形に対して、識別位相を掃引できる掃引用識別器２６で識別位相を探索し、識別レベルを掃引できる掃引用識別器２５で識別レベルを探索することを示している。これより位相調整手順を説明する。
図１５は位相探索法を説明するものである。まず、１ビット分の時間幅をいくつかに分ける。ここではφ−２ｔ〜φ２ｔまでの５ポイントとする。識別位相を掃引できる掃引用識別器２６の識別レベルをＤ＋１に固定し、識別位相を掃引できる掃引用識別器２６により５ポイントの各位相の０，１の識別頻度を採る。ここでは、０，１の識別頻度が図１６のようになったとする。情報データ１は上に凸となり、情報データ０は下に凸となる。
次に、識別位相を掃引できる掃引用識別器２６の識別レベルをＤ−１に固定し、５ポイントの各位相の０，１の識別頻度を採る。この時、０，１の識別頻度が図１７のようになったとする。識別レベルを低く設定したので、逆に情報データ１は下に凸となり、情報データ０は上に凸となる。
０，１がそれぞれ１／２の確率で送信されていれば、識別レベルが中央に近づくほど、０と１の頻度は等しくなるため、凸の部分が最適識別位相となる。よってこの時、Ｄ＋１とＤ−１で求めた最適識別位相の真中部分を最適位相とする。
【００６３】
識別位相を掃引できる掃引用識別器２６で最適識別位相が判明したので、次にこの位相を識別器１３および識別レベルを掃引できる掃引用識別器２５の識別位相とする。
図１８は識別レベルの探索手法を示す説明図、図１９は各識別レベルでの識別頻度を示す特性図である。
図１８に最適位相で最適識別レベルを探索するために、識別レベルを掃引できる掃引用識別器２５に設定する識別レベルを示す。識別レベルを掃引できる掃引用識別器２５では、識別器１３の識別レベル間を補完する識別レベルに設定して各識別レベルでの識別頻度を採る。ここでは、Ｄ＋３ｓ〜Ｄ−３ｓまでの６ポイントとする。図１９は各識別レベルでの識別頻度を示す。図示していないが、識別器１３の各識別レベルでの識別頻度もあるので、精度の高い頻度分布が得られ、確率密度分布が推定できる。
【００６４】
識別器１３および識別レベルを掃引できる掃引用識別器２５により、最適識別位相での確率密度分布が判明する。識別器１３の各識別レベルは、確率密度分布から所望の識別レベルに調整される。
【００６５】
なお、この実施の形態４では、位相探索の際に２つの識別レベルに識別位相を掃引できる掃引用識別器２６を設定して探索したが、より多くの識別レベルで探索すれば、より高い精度で最適位相が探索できる。また、この最適位相探索により、識別器１３の誤判別を抑えることもでき、より精度の高い軟判定識別が可能となる。
【００６６】
以上のように、この実施の形態４では、識別位相を掃引できる掃引用識別器２６を加えることで、最適識別位相を判明することができると共に、識別レベルを掃引できる掃引用識別器２５を加えることで、その最適識別位相でより正確に確率密度分布を推定でき、各識別器１３の識別レベルを高精度に制御することができる。
【００６７】
実施の形態５．
図２０はこの発明の実施の形態５による信号フォーマットを示す説明図、図２１は識別レベルＤ＋１での識別頻度を示す特性図、図２２は識別レベルＤ−１での識別頻度を示す特性図である。
上記実施の形態４では、信号フォーマットがＮＲＺ（Ｎｏｎ  Ｒｅｔｕｒｎ  ｔｏ  Ｚｅｒｏ）フォーマットであったが、図２０に示すＲＺ（Ｒｅｔｕｒｎ  ｔｏ  Ｚｅｒｏ）フォーマットでも良い。
上記実施の形態４と同様に、識別位相を掃引できる掃引用識別器２６の識別レベルを複数設定して各位相での識別頻度を採る。２つの識別レベルを例に、この時、識別頻度が、図２１および図２２であったとする。ＲＺなので、識別レベルが高い時ほど急峻な特性で、低い時ほど平坦な特性となる。それぞれの凸となる位相から同様に最適位相を求める。
【００６８】
以上のように、この実施の形態５では、信号フォーマットがＲＺフォーマットでも最適位相を求めることができる。
【００６９】
実施の形態６．
図２３はこの発明の実施の形態６による光受信装置の詳細を示す構成図であり、実施の形態４で示した図１３の光受信装置１の構成に、セレクタ２９を加えたものである。
【００７０】
次に動作について説明する。
図２３において、上記実施の形態４で示した光受信装置１の識別レベルを掃引できる掃引用識別器２５と識別位相を掃引できる掃引用識別器２６の出力にセレクタ２９を加えた構成である。最適位相を探索している時は、識別レベル探索用の掃引用識別器２５は使用しておらず、逆に最適識別レベルを探索している時は、識別位相探索用の掃引用識別器２６を使用していない。そのため、セレクタ２９で、どちらか一方の結果のみ取り出すようにする。出力は１：１６多重分離回路１６に送られるが、セレクタ２９により１：１６多重分離回路１６を減らすことができ、並列展開数を抑えられるので、簡易な回路構成で実現できる。
【００７１】
以上のように、この実施の形態６では、セレクタ２９を設けることによって、１：１６多重分離回路１６を減らすことができ、簡易な回路構成で実現できる。
【００７２】
実施の形態７．
図２４はこの発明の実施の形態７による光受信装置の詳細を示す構成図であり、実施の形態４で示した図１３の光受信装置１の構成に、２ｎ−１個の識別器１３以外に識別レベルおよび識別位相を掃引できる掃引用識別器（識別器）３０を加えたものである。
【００７３】
次に動作について説明する。
図２４において、光受信装置は、３ビットの識別信号を得るため、７つの識別器１３を備えている。フォトダイオード１１は、光受信信号を電気受信信号に変換し、軟判定識別部１２に出力する。
軟判定識別部１２は、異なる識別レベルを持つ７つの識別器１３と、識別レベルおよび識別位相を掃引できる掃引用識別器３０と、識別結果を符号化する符号化器１４とから構成され、電気信号のマーク／スペースを判別し、７つの識別器１３の識別結果を符号化器１４で符号化し、多重分離部１５に出力する。識別レベルおよび識別位相の掃引用識別器３０での識別結果も、多重分離部１５へ出力される。
多重分離部１５は、ビット毎に直列並列変換する１：１６多重分離回路１６を備え、変換した並列信号をＦＥＣ復号部１７に出力する。
ＦＥＣ復号部１７は、軟判定ＦＥＣ復号化回路１８と、確率密度分布推定回路１９と、閾値制御回路２０と、閾値掃引制御回路２２と、クロック位相制御回路２７と、掃引識別器用クロック位相制御回路２８とから構成され、符号化器１４で符号化された並列信号が軟判定ＦＥＣ復号化回路１８と確率密度分布推定回路１９に入力される。識別レベルおよび識別位相の掃引用の掃引用識別器３０からの並列信号は、確率密度分布推定回路１９に入力される。軟判定ＦＥＣ復号化回路１８からは、誤り訂正後の並列信号が出力される。確率密度分布推定回路１９は、各識別器１３の判別結果から分布を推定し、その推定分布が閾値制御回路２０および閾値掃引制御回路２２に送られる。クロック位相制御回路２７と掃引識別器用クロック位相制御回路２８には、各位相に対する確率密度分布が出力される。クロック位相制御回路２７と掃引識別器用クロック位相制御回路２８は、各位相に対する確率密度分布に基づいて、識別器１３と識別レベルおよび識別位相の掃引用の掃引用識別器３０の識別位相を最適なクロック位相に調整する。閾値制御回路２０および閾値掃引制御回路２２は、最適なクロック位相の時の推定分布に基づいて閾値を算出して制御信号を軟判定識別部１２に出力する。
【００７４】
図２５は識別位相および識別レベルの探索手法を示す説明図、図２６は識別位相の探索手法を示す説明図、図２７は各識別位相での識別頻度を示す特性図である。
図２５は識別器１３の識別レベルおよび識別位相を調整するために、受信電気波形に対して、識別レベルおよび識別位相を掃引できる掃引用識別器３０で、識別レベルと識別位相を交互に掃引しながら、１ビット時間幅分の各位相に対する識別頻度から識別器１３の最適な識別位相を探索することを示している。これより位相探索手順を説明する。
図２６は位相探索法を説明するものである。まず、１ビット分の時間幅をいくつかに分ける。ここでは簡易のため３つの位相の例で説明する。次に各位相において識別頻度を採る識別レベルを決める。ここでは各位相についてＤ＋３〜Ｄ−３まで７つの識別レベルでの識別頻度を採る。閾値掃引制御回路２２と掃引識別器用クロック位相制御回路２８で、識別レベルおよび識別位相の掃引用識別器３０の識別位相と識別レベルを調整しながら、識別頻度を採る。各位相の各識別レベルの識別頻度を採ると、図２７に示す識別位相毎の識別頻度、すなわち確率密度分布が得られる。０と１が送信される確率が等しい時、１ビット時間幅の端の方では、波形の立ち上がりまたは立下り部分であるため、識別レベルの高い方では０の判定が極端に多くなり、低い方では１の判定が極端に多くなる。これにより、１ビット時間幅の両端の位置がわかるので、その中央を最適位相とし、識別器１３の識別位相とする。その最適位相で、再び識別頻度から確率密度分布を求め、これより、識別器１３の各識別レベルを調整する。ここでは３つの位相について識別頻度を求めた例であるが、より多くの位相で求めておけば、最適位相を求める精度も上げられる。
【００７５】
以上のように、この実施の形態７では、識別レベルおよび識別位相を掃引できる掃引用識別器３０を１個で済ますことができ、簡易な回路構成を実現できる。
【００７６】
実施の形態８．
図２８はこの発明の実施の形態８による信号フォーマットを示す説明図、図２９は各識別位相での識別頻度を示す特性図である。
上記実施の形態７では、信号フォーマットがＮＲＺ（Ｎｏｎ  Ｒｅｔｕｒｎ  ｔｏ  Ｚｅｒｏ）フォーマットであったが、図２８に示すＲＺ（Ｒｅｔｕｒｎ  ｔｏ  Ｚｅｒｏ）フォーマットでも良い。
上記実施の形態７と同様に、識別レベルおよび識別位相の掃引用識別器３０の識別レベルを複数設定して各位相での識別頻度を採る。３つの識別位相を例に、この時、識別頻度が、図２９であったとする。ＲＺなので、１ビット時間幅の端の方では、波形の立ち上がりまたは立下り部分となるため、高い識別レベルでは、０の頻度が高くなる。中央付近では識別頻度勾配が緩やかになる。これにより、上記実施の形態７と同様に１ビット時間幅の両端の位置がわかるので、その中央を最適位相とし、その最適位相で、再び識別頻度から確率密度分布を求め、これより、識別器１３の各識別レベルを調整する。ここでは３つの位相について識別頻度を求めた例であるが、より多くの位相で求めておけば、最適位相を求める精度も上げられる。
【００７７】
以上のように、この実施の形態８では、信号フォーマットがＲＺフォーマットでも最適位相を求めることができる。
【００７８】
実施の形態９．
図３０はこの発明の実施の形態９による光受信装置の詳細を示す構成図であり、実施の形態６で示した図２３の光受信装置１の構成において、識別位相を掃引できる掃引用識別器２６を取り除き、クロック位相制御回路２７へは、軟判定ＦＥＣ復号化回路１８での軟判定誤り訂正の際の誤りカウント数を出力する構成である。さらに、掃引識別器用クロック位相制御回路２８を取り除いている。
【００７９】
次に動作について説明する。
図３０において、クロック位相制御回路２７で、識別器１３および識別レベルを掃引できる掃引用識別器２５の識別位相を変動させる。これに伴い、軟判定ＦＥＣ復号化回路１８での誤りカウント数も変動する。誤りカウント数が最も少なくなる位相が最適位相となる。クロック位相制御回路２７では、その最適位相に識別位相を調整する。最適位相にて、識別頻度から確率密度分布を求め、識別器１３を調整する手順は、その他の実施の形態と同様である。
【００８０】
以上のように、この実施の形態９では、識別位相を掃引できる掃引用識別器２６、および掃引識別器用クロック位相制御回路２８を取り除き、簡易な回路構成を実現できる。
【００８１】
実施の形態１０．
図３１はこの発明の実施の形態１０による符号化器におけるｎビット符号化の手順を示すフローチャート、図３２は全識別結果パタンを示す説明図、図３３は全識別結果パタンからの符号化結果を示す説明図である。
図３１に示した手順に沿って説明する。
電気受信信号を２ｎ−１個の識別器１３で識別すると（ステップＳＴ３１）、図３２に示すように、７つの識別器１３の出力には８通りの識別結果が得られ、この状態を表すために３ビット符号化する。
中央の識別レベルで識別結果がマークなら、これより低い識別レベルの識別器１３は全てマークであり（ステップＳＴ３２）、高い識別レベルの識別結果は４通りである。これから、よりマークに近いマーク（Ｄ＋１、Ｄ＋２、Ｄ＋３で全てマークの識別）からスペースに近いマーク（Ｄ＋１、Ｄ＋２、Ｄ＋３で全てスペースの識別）までの４通りの状態に対して、２進２ビットの信頼性情報を持つ符号に変換する。
図３３は変換結果である。最初の１ビットを中央識別レベルでのマークとスペースの硬判定の識別結果に割り当て、残り２ビットをその識別結果に対応した信頼度情報に割り当てる。２ビットは、識別がスペースに近いほど０，０に割り当て（マークの信頼性が低い）、マークに近いほど１，１に割り当てる（マークの信頼性が高い）。中央でスペースが識別された時も、同様の手法で割り当てを行い、各識別結果の符号化を行う。同様の手順でｎビット符号化が可能である（ステップＳＴ３３，ＳＴ３４）。その他の動作は実施の形態１から実施の形態３のいずれかと同様である。
【００８２】
以上のように、この実施の形態１０では、以上の符号化手法を採ることにより、図示していないが、軟判定識別部１２とＦＥＣ復号部１７の間に同期補足のためのフレーム同期やデスクランブル処理を設けた場合には、硬判定結果である１ビット目（中央識別器ＤＣの結果）に対してのみ処理を行えば良いため、簡易な回路構成で実現することが可能である。
【００８３】
実施の形態１１．
図３４はこの発明の実施の形態１１による符号化器において識別誤りを訂正する手法を示す説明図である。
この実施の形態１１では、識別器１３の識別に誤りが生じても、符号化器１４で符号化が行えるようにする一例を示している。７つの識別器１３の識別レベルが図３４に示すレベルに設定されており、識別結果が識別結果（ステップＳＴ３５）になった時、これは通常有り得ない識別で、いずれかの識別器１３の識別に誤りが含まれている。ここでは、パタンからＤ＋３またはＤ＋２の識別器１３に誤りが発生していると考えられる。そのため訂正パタン（ステップＳＴ３６）は２種類ある。訂正方法として、例えば、“中心識別レベルに近い識別器ほど誤らず、結果の優先度が高い”（ステップＳＴ３７，ＳＴ３８）という優先度情報に従うと、誤りを発生したのはＤ＋３で、これを訂正すると訂正後パタン（ステップＳＴ３９）となる。その他の動作は実施の形態１から実施の形態３のいずれかと同様である。
【００８４】
以上のように、この実施の形態１１では、識別器１３の識別に誤りが生じても、ある優先度情報に基いて訂正し、符号化器１４での符号化が行えないパタンが生じるのを防ぐことができる。
【００８５】
実施の形態１２．
図３５はこの発明の実施の形態１２による識別器が誤り無く動作した時の通常の識別結果を示す説明図であり、上記実施の形態における図３２と図３３とを組み合せて表現したものである。図３６は識別器で識別誤りが生じても、符号化が行える符号化方法の一例を示す説明図、図３７は優先度情報に基いた符号化パタンを示す説明図である。
図３２に示すように、識別器が誤り無く動作すれば、上記実施の形態１０に示した符号化方法で符号化が行えるが、識別に誤りが生じた時には符号化が行えない。各識別器の個体差の調整不十分等により、識別誤りが生じる。図３６は識別器で識別誤りが生じても、符号化が行える符号化方法の一例を示している。ここでは、“訂正ビット数が一番少なくなるパタンを訂正パタンとし、それが複数ある場合には、中央ほど誤りにくい”との優先度情報に従って符号化する。図３７はこの優先度情報に基いた符号化パタンである。この方法は、各識別器が誤り無く識別できれば、３ビット符号化パタンは図３３と同様である。誤りが生じた時、例えば、中央識別レベルＤｃが１で、（Ｄ＋３，Ｄ＋２，Ｄ＋１）＝（１，０，１）の時、訂正後のパタンは、訂正箇所が１ヶ所の（Ｄ＋３，Ｄ＋２，Ｄ＋１）＝（０，０，１）または（１，１，１）が考えられるが、“中央ほど誤りにくい”との優先度情報から（０，０，１）が訂正後のパタンとなる。これより、３ビットの符号化を行う。Ｄｃが０の場合も同様に訂正・符号化を行う。
【００８６】
以上のように、この実施の形態１２では、識別器で識別誤りが生じても、訂正ビット数が少なくなるパタンを訂正パタンとし、中央ほど誤らないとの優先度情報に基いて識別器誤りを訂正するため、符号化器での符号化が行えないパタンが生じるのを防ぐことができる。
【００８７】
実施の形態１３．
図３８はこの発明の実施の形態１３による識別器で識別誤りが生じても、符号化が行える符号化方法の一例を示す説明図であり、図３９は優先度情報に基いた符号化パタンを示す説明図である。
この実施の形態１３では、“高い識別レベルに設定された識別器での１の識別結果を優先する”との優先度情報に従って符号化する。図３９はこの優先度情報に基いた符号化パタンである。上記実施の形態１２の符号化方法の図３７とは、斜線部分で示した識別結果に対する符号化パタンが異なる。この実施の形態１３でも、識別器が誤り無く識別していれば、３ビット符号化は図３３に示すものと同様である。識別器で誤りが生じ、０と１が互違になったときは、最も高い識別レベルにある１を優先し、それより低い識別レベルにある０は１とみなし、硬判定と信頼度情報を含む３ビットの符号化を行う。
【００８８】
以上のように、この実施の形態１３では、識別器で識別誤りが生じても、１の識別結果を優先するとの優先度情報に基いて識別器誤りを訂正し、符号化器での符号化が行えないパタンが生じるのを防ぐことができる。
【００８９】
実施の形態１４．
図４０はこの発明の実施の形態１４による識別器で識別誤りが生じても、符号化が行える符号化方法の一例を示す説明図であり、図４１は優先度情報に基いた符号化パタンを示す説明図である。
この実施の形態１４では、識別誤りの発生時には、“低い識別レベルに設定された識別器での０の識別結果を優先する”との優先度情報に従って符号化する。図４１はこの優先度情報に基いた符号化パタンである。この方法は、上記実施の形態１３同様に、識別器で誤り無く識別していれば、３ビット符号化パタンは図３３に示すものとなる。上記実施の形態１２の符号化方法とは斜線部分で示した識別結果に対する符号化パタンが異なる。識別器での誤りが生じ、０と１が互違になった時は、最も低い識別レベルにある０を優先し、それより高い識別レベルにある１は０とみなし、硬判定と信頼度情報を含む３ビットの符号化を行う。
【００９０】
以上のように、この実施の形態１４では、識別器で識別誤りが生じても、０の識別結果を優先するとの優先度情報に基いて識別器誤りを訂正し、符号化器での符号化が行えないパタンが生じるのを防ぐことができる。
【００９１】
実施の形態１５．
図４２はこの発明の実施の形態１５による識別器で識別誤りが生じても、符号化が行える符号化方法の一例を示す説明図であり、図４３は優先度情報に基いた符号化パタンを示す説明図である。
この実施の形態１５では、中央識別レベルの識別結果によって、上側識別器または下側識別器から信頼度情報を作成する。図４３はこの方法による符号化パタンを示す。中央識別器の識別結果が１ならば、上側識別器での０，１のカウント数を元に信頼度情報を作成する。３つの上側識別器が全て１の識別をしているのであれば、信頼度情報は１１を、２つが１で１つが０の時は１０を、全て０の識別なら００を割り当てられる。逆に中央識別器の識別結果が０であれば、下側識別器から信頼度情報を作成する。下側識別器が全て０の識別をしていれば１１を、全て１なら００を割り当てる。また、識別器で誤りが無い場合に、割り当てる信頼度情報はこれまでの符号化方法と同様である。
【００９２】
以上のように、この実施の形態１５では、識別器で識別誤りが生じても、上側、下側の識別レベルの順序は無く、０，１のカウント数から符号化を行うため、符号化が行えないパタンが生じるのを防ぐことができる。
【００９３】
実施の形態１６．
図４４はこの発明の実施の形態１６による識別器で識別誤りが生じても、符号化が行える符号化方法の一例を示す説明図であり、図４５は優先度情報に基いた符号化パタンを示す説明図である。
この実施の形態１６では、７つの識別器の識別結果０，１をカウントし、カウント数を元に３ビット符号化する。図４５はこの方法による符号化パタンを示す。全て１の識別であれば、硬判定は１で信頼度は１１となり、０が識別されるほど、０よりの信頼度となり、全て０の識別であれば、硬判定は０で信頼度は１１となる。この符号化方法でも、識別器で誤りが無い場合に、硬判定ビットと割り当てる信頼度情報はこれまでの符号化方法と同様である。
【００９４】
以上のように、この実施の形態１６では、識別器で識別誤りが生じても、識別器の識別レベルの順序は無く、０，１のカウント数から符号化を行うため、符号化が行えないパタンが生じるのを防ぐことができる。
【００９５】
実施の形態１７．
図４６はこの発明の実施の形態１７による受信ビット列に対する受信波形を示す説明図、図４７は優先度の変更が可能となる符号化器の内部構成を示す構成図であり、図において、４１は上記実施の形態１３で示した優先ビット１とした符号化回路（有意優先ビット符号化回路）、４２は上記実施の形態１４で示した優先ビット０とした符号化回路（無意優先ビット符号化回路）、４３は符号化回路４１，４２によって符号化された一方の並列符号を選択して出力すると共に、その出力した少なくとも１つ以上前の並列符号に基づいて、符号化回路４１，４２によって符号化された並列符号の選択を切換える優先度選択回路である。
【００９６】
次に動作について説明する。
この実施の形態１７では、実施の形態１３または１４で、１または０の識別結果を優先して符号化を行っている際に、光受信装置に到達するビット列によって、識別器で識別後に符号化器で信頼度を変更する方法について説明する。図４６は受信ビット列に対する受信波形を示している。少なくとも１ビット以上前のビットの状態を元に優先度を変更する。前のビットの情報は、硬判定ビットだけでも良いし、信頼度情報まで含んでいても良い。例えば、図４６のように、優先度が０のビットで、０のビットが連続して受信されたのち、１のビットが到達した時には、優先度のビットを１に変更する。同様に、ビット列によって０の優先度から１の優先度にも変更する。
【００９７】
図４７は優先度の変更が可能となる符号化器の内部構成を示したものである。識別器からの７ビット信号は、符号化回路（優先ビット１）４１と符号化回路（優先ビット０）４２とで、実施の形態１３や１４に記載のように０または１のビットを優先して、３ビットの符号化が行われる。優先度選択回路４３は、少なくとも１つ以上前のビットを元に、どちらかの優先度での３ビット符号を出力する。また、少なくとも１つ以上後のビット、あるいは少なくとも前後１つ以上のビットを元に優先度を切換える構成としても良い。
【００９８】
以上のように、この実施の形態１７では、０または１の優先度で符号化された符号をビットパタンにより選択することで、識別器による識別誤りが生じている場合に、０または１よりの識別をすることができ、より精度の高い誤り訂正が可能となる。
【００９９】
実施の形態１８．
図４８はこの発明の実施の形態１８による識別器で誤りが生じても、符号化が行える符号化方法の一例を示す説明図、図４９は符号化手順を示す説明図、図５０は符号化パタンを示す説明図である。
この実施の形態１８では、“端の識別器ほど誤らず、端の識別器の識別結果が有り得ないパタンであれば、１つ内側の識別器の識別結果に基き訂正する”との優先度情報に従って符号化を行う。図４８はこの方法による符号化手順を説明するものである。符号化手順は、最も高い識別レベルに設定された識別器と、最も低い識別レベルに設定された識別器の識別結果の比較から始める。（Ｄ＋３，Ｄ−３）が（１，１）の時、優先度からそれより内側の識別器の識別結果は全て１で、（０，０）の時は全て０となる。（０，１）の時は、判定は正しく、さらに１つ内側の識別器同士を比較していく。ここで（Ｄ＋３，Ｄ−３）の識別が（１，０）の時、これは有り得ない判定なので、どちらかの識別器に識別誤りが生じていると考えられる。この場合、１つ内側の識別器の識別結果に基いて、外側の誤りが生じている識別器の識別結果を訂正する。例えば、１つ内側の識別器（Ｄ＋２，Ｄ−２）の識別結果が（０，１）であれば、誤りはＤ＋３とＤ−３であり、０と１に訂正し、（１，１）であれば、Ｄ−３を１に訂正し、（１，０）であれば、ここでも誤りが生じているので、さらに内側の識別器の識別結果を参照する。図５０は、この手順により作成した符号化パタンである。上記実施の形態１２の符号化方法とは斜線部分で示した識別結果に対する符号化パタンが異なる。
【０１００】
以上のように、この実施の形態１８では、識別器で識別誤りが生じても、端の識別器ほど誤らず、端の識別器の識別結果が有り得ないパタンであれば、１つ内側の識別器の識別結果に基き訂正するとの優先度情報に従って符号化を行うため、符号化が行えないパタンが生じるのを防ぐことができる。
【０１０１】
実施の形態１９．
図５１はこの発明の実施の形態１９による電源投入時に各識別器のマークとスペースの識別頻度から個体差を検出する手法を示す説明図、図５２は個体差を検出する処理手順を示すフローチャートである。
上記実施の形態における光受信装置１は、７つの識別器１３の個体差の把握により、個体差を考慮した識別レベルの制御が可能である。
【０１０２】
次に動作について説明する。
まず、基準となるリファレンス識別器を決定する（ステップＳＴ４１）。そして、例えば、識別電圧領域を３ヶ所に分け、その領域内の代表値をリファレンス識別器の識別電圧に設定する。次に、全識別器１３の識別レベルをリファレンス識別器と同一のレベルに合わせる（ステップＳＴ４２）。受信データを各識別器１３で識別し、確率密度分布推定回路１９で各識別器１３の判別結果である符号化器１４からのデータに基づいて各識別器１３の識別頻度を計測する（ステップＳＴ４３）。識別頻度の累積を採り（ステップＳＴ４４）、図５１（ａ）に示す結果となった場合、リファレンス識別器との頻度を比較すると（ステップＳＴ４５）、Ｄｅｃｉｄｅｒ７の頻度に差がある（ステップＳＴ４６）。ここではマークの頻度を減らして、スペースの頻度が増えるように、差が一定量以下になるまで識別レベルを調整すると（ステップＳＴ４７）、図５１（ｂ）に示すように、全ての識別器１３の識別頻度が等しくなる。この時、Ｄｅｃｉｄｅｒ７の識別レベル誤差はＤ７であることが分かる。同様に他の２ヶ所の識別領域においても、各識別器１３の識別誤差を把握する。その他の動作は実施の形態１と同様である。
なお、図５２のフローチャートに示した処理を統括して、図２に示した各構成を制御し、各識別器１３の識別レベル誤差を検出する手段を、図２では示さなかったが識別レベル誤差検出部とする。
閾値制御回路２０では、軟判定識別部１２における識別器１３の識別レベルを識別レベル誤差検出部によって検出された各識別レベル誤差で補正して制御することにより、７つの識別器１３の個体差を考慮した識別レベルの制御が可能である。
【０１０３】
以上のように、この実施の形態１９では、閾値制御回路２０は、各領域で識別レベル誤差を補正して各識別器１３に制御信号を送れば良く、より精度の高い制御が可能となる。
【０１０４】
実施の形態２０．
図５３はこの発明の実施の形態２０による光受信装置の詳細を示す構成図であり、符号化器１４は、調整対象の識別器１３の識別結果を選択するセレクタ３１、調整時にリファレンス識別器の結果を切替抽出するセレクタ３２、調整対象の識別器の結果を抽出するセレクタ３３、各識別器１３の識別結果を符号化する符号化回路３４で構成されている。ＦＥＣ復号部１７は、比較器３５を加え、比較結果を確率密度分布推定回路１９に出力する。
図５４は識別器の個体差調整を行う手順を示すフローチャートであり、この手法は、リファレンス識別器に対して１つずつ調整する方法である。
【０１０５】
次に動作について説明する。
まず、実施の形態１９と同様に、識別電圧領域を例えば３ヶ所に分け、その代表値を全識別器１３の識別レベルに調整しておく。基準となるリファレンス識別器をセレクタ３２で決定し（ステップＳＴ５１）、調整対象の識別器１３をセレクタ３１とセレクタ３２で選択する（ステップＳＴ５２）。識別結果は、信頼度情報を載せる符号化を行わず、符号化回路３４をスルーで通り（ステップＳＴ５３）、多重分離部１５で並列信号に展開された後に、比較器３５でリファレンス識別器と調整対象の識別器１３の結果比較をする（ステップＳＴ５４）。比較器３５による比較結果を確率密度分布推定回路１９に送り、一定量のビット比較から、識別結果の差が分かる（ステップＳＴ５５）。結果に差がなければ、リファレンス識別器に対して識別レベルの差はないが、ある場合には、調整対象の識別器１３の識別レベル高く（低く）設定し（ステップＳＴ５６）、再度比較器３５で識別結果の比較をする（ステップＳＴ５５〜ＳＴ５８）。差が無くなれば識別器１３の識別レベル誤差は、再設定値分の差であることが分かる。差があり（ステップＳＴ５９）、前の比較結果よりその差が大きくなっていれば（ステップＳＴ６０）、識別レベルを低く（高く）設定し（ステップＳＴ６１）、再度比較器３５で比較をする（ステップＳＴ５８）。逆に差が少なくなっていれば、さらに識別レベルを高く（低く）設定するようにして、比較結果の差が一定量以下になるまで識別レベルを調整する（ステップＳＴ６０，ＳＴ５６〜ＳＴ５９）。以上の手順を繰り返し、他の識別器１３の識別レベルの個体差を把握する。同様に他の識別領域においても、各識別器１３の識別レベル誤差を把握する。
なお、図５４のフローチャートに示した処理を統括して、図５３に示した各構成を制御し、各識別器１３の識別レベル誤差を検出する手段を、図５３では示さなかったが識別レベル誤差検出部とする。
閾値制御回路２０では、軟判定識別部１２における識別器１３の識別レベルを識別レベル誤差検出部によって検出された各識別レベル誤差で補正して制御することにより、７つの識別器１３の個体差を考慮した識別レベルの制御が可能である。
【０１０６】
なお、個体差調整を行わない時は、符号化回路３４での符号化データをセレクタ３２，３３で選択すれば良い。その他の動作は実施の形態１と同様である。
【０１０７】
以上のように、この実施の形態２０では、閾値制御回路２０は、各領域で識別レベル誤差を補正して各識別器１３に制御信号を送れば良く、より精度の高い制御が可能となる。
【０１０８】
実施の形態２１．
図５５はこの発明の実施の形態２１による光受信装置の詳細を示す構成図であり、上記実施の形態２０では、比較器３５をＦＥＣ復号部１７内に組み込む構成としていたが、この図５５に示すように、比較器３５を符号化器１４内に組み込み、比較結果を並列展開する１：１６多重分離回路１６を多重分離部１５内に組み込むようにしても良い。この場合、各識別器１３の識別結果を符号化回路３４に入力前にリファレンス識別器と調整対象の識別器１３の識別結果を抽出し、比較を行う。
その他の構成、動作、効果については、上記実施の形態２０と同様である。
【０１０９】
実施の形態２２．
図５６はこの発明の実施の形態２２による光受信装置の詳細を示す構成図であり、実施の形態２に示した掃引用識別器２１がある場合に、個体差調整を行う回路構成である。
軟判定識別部１２は、識別対象の各識別器１３の識別結果を選択するセレクタ３１と、選択された識別器１３の識別結果と掃引用識別器２１の識別結果の比較をする比較器３５を加えた構成で、比較器３５は、比較結果を多重分離部１５に出力する。多重分離部１５には、その出力を並列展開する１：１６多重分離回路１６を加え、確率密度分布推定回路１９に出力する。
【０１１０】
以上のように、この実施の形態２２では、掃引用識別器２１をリファレンス識別器として、各識別器１３の個体差を補正する方法であり、調整の手順は実施の形態１３，１４と同様に行う。識別レベル誤差は、掃引用識別器２１を基準とした値が得られるため、掃引用識別器２１のみで分布を推定した場合に、簡易に識別レベル調整が行える。
【０１１１】
実施の形態２３．
図５７はこの発明の実施の形態２３による光受信装置を示す構成図であり、図において、３６はレジスタ、３７はディジタル演算処理部、３８はＤ／Ａ変換部であり、図１における確率密度分布推定手段９および識別レベル制御手段１０に相当するものである。
図５８はディジタル演算処理部の処理手順を示すフローチャートである。
軟判定ＦＥＣ復号化手段８は、多値の並列信号から各識別器１３の識別結果をレジスタ３６に出力する。レジスタ３６はｎフレーム分の各識別器１３のマーク／スペースの識別頻度を保持しておく。ディジタル演算処理部３７では、ｎフレーム分の識別頻度をレジスタ３６から読出し（ステップＳＴ８１）、確率密度分布を推定する（ステップＳＴ８２）。各識別レベルにおけるマークとスペースの頻度分布が最適でない場合（ステップＳＴ８３）、確率密度分布に基づいて識別器１３の識別レベルを算出し（ステップＳＴ８４）、算出結果をディジタル信号としてＤ／Ａ変換部３８に出力する（ステップＳＴ８５）。Ｄ／Ａ変換部３８は、識別レベルを示すディジタル信号をアナログ制御電圧に変換して、軟判定識別手段７に出力する。その他の動作は実施の形態１と同様である。
【０１１２】
以上のように、この実施の形態２３では、各識別器１３の識別頻度結果を保持するレジスタ３６とディジタル演算処理部３７の機能を付加することで、より多くのデータから識別レベルの制御が行え、精度の高い確率密度分布の推定が可能である。
【０１１３】
実施の形態２４．
図５９はこの発明の実施の形態２４による光受信装置を示す構成図であり、上記実施の形態では、多重分離手段５または多重分離部１５を設けて並列信号に変換して軟判定ＦＥＣ復号化手段８に出力する構成としていたが、この図５９に示すように多重分離手段５または多重分離部１５を設けず、軟判定識別手段７からの出力を直接、軟判定ＦＥＣ復号化手段８に出力する構成としても良い。
【０１１４】
【発明の効果】
以上のように、この発明によれば、電気受信信号のマーク／スペースを複数の識別レベルで識別し、多値の識別信号を出力する軟判定識別手段と、多値の識別信号を直列並列変換し、多値の並列信号を出力する多重分離手段と、多値の並列信号から、信頼度情報に基づいて誤り訂正を行い、誤り訂正後の並列受信信号を出力すると共に、識別レベル毎のマーク／スペースの識別結果を出力する軟判定誤り訂正復号化手段と、識別レベル毎のマーク／スペースの識別結果に基づいてマーク／スペースの識別頻度の確率密度分布を推定する確率密度分布推定手段と、確率密度分布に基づいて軟判定識別手段における複数の識別レベルを制御する識別レベル制御手段とを備えるように構成したので、光受信信号の品質が劣化しても、高品質なサービスを提供することが可能な高速・大容量の光受信装置を実現することができる効果がある。
【０１１５】
この発明によれば、電気受信信号のマーク／スペースを２n−１個の識別器で識別し、識別結果を出力する軟判定識別器と、２n−１個の識別結果を、信頼度情報を持たせたｎビット並列符号に符号化する符号化器と、ｎビット並列符号をビット毎に多重分離するｎ個の多重分離回路と、多重分離された多値の信号から、信頼度情報に基づいて誤り訂正を行い、誤り訂正後の並列受信信号を出力すると共に、識別レベル毎のマーク／スペースの識別結果を出力する軟判定ＦＥＣ復号化回路と、識別レベル毎のマーク／スペースの識別結果に基づいてマーク／スペースの識別頻度の確率密度分布を推定する確率密度分布推定回路と、確率密度分布に基づいて軟判定識別器における２n−１個の識別器の識別レベルを制御する閾値制御回路とを備えるように構成したので、光受信信号の品質が劣化しても、高品質なサービスを提供することが可能な高速・大容量の光受信装置を実現することができる効果がある。
【０１１６】
この発明によれば、電気受信信号を２ｎ−１個の識別器で識別し、識別結果を出力すると共に、２ｎ−１個の識別器以外に識別レベルを掃引する１個以上の識別器を設けて、電気受信信号を識別し、識別結果を出力する軟判定識別器と、２ｎ−１個の識別結果を、信頼度情報を持たせたｎビット並列符号に符号化する符号化器と、ｎビット並列符号および軟判定識別器の識別レベルを掃引する１個以上の識別器によって識別された識別結果をビット毎に多重分離するｎ＋１個以上の多重分離回路と、ｎビット並列符号について多重分離された多値の信号から、信頼度情報に基づいて誤り訂正を行い、誤り訂正後の並列受信信号を出力すると共に、各識別レベル毎の判別結果を出力する軟判定ＦＥＣ復号化回路と、各識別レベル毎の情報データの判別結果の分布、および多重分離回路によって識別レベルを掃引する１個以上の識別器による識別結果に基づいて確率密度分布を推定する確率密度分布推定回路と、確率密度分布に基づいて軟判定識別器における２ｎ−１個の識別器の識別レベルを制御する閾値制御回路と、確率密度分布に基づいて軟判定識別器における識別レベルを掃引する１個以上の識別器の識別レベルを制御する閾値掃引制御回路とを備えるように構成したので、光受信信号の品質が劣化しても、高品質なサービスを提供することが可能な高速・大容量の光受信装置を実現することができる。
また、２ｎ−１個以外に識別レベルを掃引する識別器を加えることで、より正確に確率密度分布を推定でき、各識別器の識別レベルを高精度に制御することができる効果がある。
【０１１７】
この発明によれば、電気受信信号を２ｎ個以上の識別器で識別し、識別結果を出力する軟判定識別器と、２ｎ個以上の識別器の識別結果から２ｎ−１個の識別器の識別結果を選択するセレクタと、２ｎ−１個の識別結果を、信頼度情報を持たせたｎビット並列符号に符号化する符号化器と、ｎビット並列符号をビット毎に多重分離するｎ個の多重分離回路と、多重分離された多値の信号から、信頼度情報に基づいて誤り訂正を行い、誤り訂正後の並列受信信号を出力すると共に、各識別レベル毎の判別結果を出力する軟判定ＦＥＣ復号化回路と、各識別レベル毎の情報データの判別結果の分布に基づいて確率密度分布を推定する確率密度分布推定回路と、確率密度分布に基づいて上記セレクタにおける２ｎ−１個の識別器の選択信号を出力する識別器選択制御回路とを備えるように構成したので、光受信信号の品質が劣化しても、高品質なサービスを提供することが可能な高速・大容量の光受信装置を実現することができる。
また、符号化に必要な識別器以上の多数の識別器を備えた構成により、微細な識別レベルの制御を行わなくても、容易に精度良く識別器識別分布を得ることができる効果がある。
【０１１８】
この発明によれば、電気受信信号を２ｎ−１個の識別器で識別し、識別結果を出力すると共に、２ｎ−１個の識別器以外に識別レベルを掃引する１個以上の識別器、および識別位相を掃引する１個以上の識別器を設けて、電気受信信号を識別し、識別結果を出力する軟判定識別器と、２ｎ−１個の識別結果を、信頼度情報を持たせたｎビット並列符号に符号化する符号化器と、ｎビット並列符号および軟判定識別器の識別レベルを掃引する１個以上の識別器、および識別位相を掃引する１個以上の識別器によって識別された識別結果をビット毎に多重分離するｎ＋２個以上の多重分離回路と、ｎビット並列符号について多重分離された多値の信号から、信頼度情報に基づいて誤り訂正を行い、誤り訂正後の並列受信信号を出力すると共に、各識別レベル毎の判別結果を出力する軟判定ＦＥＣ復号化回路と、各識別レベル毎の情報データの判別結果の分布、および多重分離回路によって識別レベルを掃引する１個以上の識別器、および識別位相を掃引する１個以上の識別器による識別結果に基づいて確率密度分布を推定する確率密度分布推定回路と、確率密度分布に基づいて軟判定識別器における２ｎ−１個の識別器の識別レベルを制御する閾値制御回路と、確率密度分布に基づいて軟判定識別器における識別レベルを掃引する１個以上の識別器の識別レベルを制御する閾値掃引制御回路と、確率密度分布に基づいて軟判定識別器における２ｎ−１個の識別器、および識別レベルを掃引する１個以上の識別器の識別位相を制御するクロック位相制御回路と、確率密度分布に基づいて軟判定識別器における識別位相を掃引する１個以上の識別器の識別位相を制御する掃引識別器用クロック位相制御回路とを備えるように構成したので、光受信信号の品質が劣化しても、高品質なサービスを提供することが可能な高速・大容量の光受信装置を実現することができる。また、２ｎ−１個の識別器以外に識別位相を掃引する１個以上の識別器を加えることで、最適識別位相を判明することができると共に、識別レベルを掃引する識別器を加えることで、その最適識別位相でより正確に確率密度分布を推定でき、各識別器の識別レベルを高精度に制御することができる効果がある。
【０１１９】
この発明によれば、電気受信信号を２ｎ−１個の識別器で識別し、識別結果を出力すると共に、２ｎ−１個の識別器以外に識別レベルを掃引する１個以上の識別器、および識別位相を掃引する１個以上の識別器を設けて、電気受信信号を識別し、識別結果を出力する軟判定識別器と、識別レベルを掃引する１個以上の識別器の識別結果、または識別位相を掃引する１個以上の識別器の識別結果を選択するセレクタと、２ｎ−１個の識別結果を、信頼度情報を持たせたｎビット並列符号に符号化する符号化器と、ｎビット並列符号およびセレクタによって選択された軟判定識別器の識別レベルを掃引する１個以上の識別器の識別結果、または識別位相を掃引する１個以上の識別器の識別結果をビット毎に多重分離するｎ＋１個以上の多重分離回路と、ｎビット並列符号について多重分離された多値の信号から、信頼度情報に基づいて誤り訂正を行い、誤り訂正後の並列受信信号を出力すると共に、各識別レベル毎の判別結果を出力する軟判定ＦＥＣ復号化回路と、各識別レベル毎の情報データの判別結果の分布、および多重分離回路によって識別レベルを掃引する１個以上の識別器、または識別位相を掃引する１個以上の識別器による識別結果について多重分離された多値の信号に基づいて確率密度分布を推定する確率密度分布推定回路と、確率密度分布に基づいて軟判定識別器における２ｎ−１個の識別器の識別レベルを制御する閾値制御回路と、確率密度分布に基づいて軟判定識別器における識別レベルを掃引する１個以上の識別器の識別レベルを制御する閾値掃引制御回路と、確率密度分布に基づいて軟判定識別器における２ｎ−１個の識別器、および識別レベルを掃引する１個以上の識別器の識別位相を制御するクロック位相制御回路と、確率密度分布に基づいて軟判定識別器における識別位相を掃引する１個以上の識別器の識別位相を制御する掃引識別器用クロック位相制御回路とを備えるように構成したので、光受信信号の品質が劣化しても、高品質なサービスを提供することが可能な高速・大容量の光受信装置を実現することができる。
また、２ｎ−１個の識別器以外に識別位相を掃引する１個以上の識別器を加えることで、最適識別位相を判明することができると共に、識別レベルを掃引する識別器を加えることで、その最適識別位相でより正確に確率密度分布を推定でき、各識別器の識別レベルを高精度に制御することができる。
さらに、セレクタを設けることによって、多重分離回路の数を減らすことができ、簡易な回路構成を実現できる効果がある。
【０１２０】
この発明によれば、電気受信信号を２ｎ−１個の識別器で識別し、識別結果を出力すると共に、２ｎ−１個の識別器以外に識別レベルおよび識別位相を掃引する１個以上の識別器を設けて、電気受信信号を識別し、識別結果を出力する軟判定識別器と、２ｎ−１個の識別結果を、信頼度情報を持たせたｎビット並列符号に符号化する符号化器と、ｎビット並列符号および軟判定識別器の識別レベルおよび識別位相を掃引する１個以上の識別器の識別結果をビット毎に多重分離するｎ＋１個以上の多重分離回路と、ｎビット並列符号について多重分離された多値の信号から、信頼度情報に基づいて誤り訂正を行い、誤り訂正後の並列受信信号を出力すると共に、各識別レベル毎の判別結果を出力する軟判定ＦＥＣ復号化回路と、各識別レベル毎の情報データの判別結果の分布、および多重分離回路によって識別レベルおよび識別位相を掃引する１個以上の識別器による識別結果について多重分離された多値の信号に基づいて確率密度分布を推定する確率密度分布推定回路と、確率密度分布に基づいて軟判定識別器における２ｎ−１個の識別器の識別レベルを制御する閾値制御回路と、確率密度分布に基づいて軟判定識別器における識別レベルおよび識別位相を掃引する１個以上の識別器の識別レベルを制御する閾値掃引制御回路と、確率密度分布に基づいて軟判定識別器における２ｎ−１個の識別器の識別位相を制御するクロック位相制御回路と、確率密度分布に基づいて軟判定識別器における識別レベルおよび識別位相を掃引する１個以上の識別器の識別位相を制御する掃引識別器用クロック位相制御回路とを備えるように構成したので、光受信信号の品質が劣化しても、高品質なサービスを提供することが可能な高速・大容量の光受信装置を実現することができる。
また、２ｎ−１個の識別器以外に識別レベルおよび識別位相を掃引する１個以上の識別器を加えることで、最適識別位相を判明することができると共に、その最適識別位相でより正確に確率密度分布を推定でき、各識別器の識別レベルを高精度に制御することができる。
さらに、識別レベルおよび識別位相を掃引する識別器は、１個で済ますことができ、簡易な回路構成を実現できる効果がある。
【０１２１】
この発明によれば、電気受信信号を２ｎ−１個の識別器で識別し、識別結果を出力すると共に、２ｎ−１個の識別器以外に識別レベルを掃引する１個以上の識別器を設けて、電気受信信号を識別し、識別結果を出力する軟判定識別器と、２ｎ−１個の識別結果を、信頼度情報を持たせたｎビット並列符号に符号化する符号化器と、ｎビット並列符号および軟判定識別器の識別レベルを掃引する１個以上の識別器の識別結果をビット毎に多重分離するｎ＋１個以上の多重分離回路と、ｎビット並列符号について多重分離された多値の信号から、信頼度情報に基づいて誤り訂正を行い、誤り訂正後の並列受信信号を出力すると共に、各識別レベル毎の判別結果を出力する軟判定ＦＥＣ復号化回路と、各識別レベル毎の情報データの判別結果の分布、および多重分離回路によって識別レベルを掃引する１個以上の識別器による識別結果について多重分離された多値の信号に基づいて確率密度分布を推定する確率密度分布推定回路と、確率密度分布に基づいて軟判定識別器における２ｎ−１個の識別器の識別レベルを制御する閾値制御回路と、確率密度分布に基づいて軟判定識別器における識別レベルを掃引する１個以上の識別器の識別レベルを制御する閾値掃引制御回路と、軟判定ＦＥＣ復号化回路による誤り訂正後の誤りカウント数に基づいて軟判定識別器における２ｎ−１個の識別器、および識別レベルを掃引する１個以上の識別器の識別位相を制御するクロック位相制御回路とを備えるように構成したので、光受信信号の品質が劣化しても、高品質なサービスを提供することが可能な高速・大容量の光受信装置を実現することができる。
また、２ｎ−１個の識別器以外に識別レベルを掃引する１個以上の識別器を加えることで、最適識別位相を判明することができると共に、その最適識別位相でより正確に確率密度分布を推定でき、各識別器の識別レベルを高精度に制御することができる。
さらに、識別レベルを掃引する識別器は、１個で済ますことができ、掃引識別器用クロック位相制御回路を設ける必要が無く、簡易な回路構成を実現できる効果がある。
【０１２２】
この発明によれば、電気受信信号のマーク／スペースを複数の識別レベルで識別し、多値の識別信号を出力する軟判定識別手段と、多値の識別信号から、信頼度情報に基づいて誤り訂正を行い、誤り訂正後の受信信号を出力すると共に、識別レベル毎のマーク／スペースの識別結果を出力する軟判定誤り訂正復号化手段と、識別レベル毎のマーク／スペースの識別結果に基づいてマーク／スペースの識別頻度の確率密度分布を推定する確率密度分布推定手段と、確率密度分布に基づいて軟判定識別手段における複数の識別レベルを制御する識別レベル制御手段とを備えるように構成したので、光受信信号の品質が劣化しても、高品質なサービスを提供することが可能な高速・大容量の光受信装置を実現することができる効果がある。
【０１２３】
この発明によれば、電気受信信号のマーク／スペースを２n−１個の識別器で識別し、識別結果を出力する軟判定識別器と、２n−１個の識別結果を、信頼度情報を持たせたｎビット並列符号に符号化する符号化器と、ｎビット並列符号から、信頼度情報に基づいて誤り訂正を行い、誤り訂正後の受信信号を出力すると共に、識別レベル毎のマーク／スペースの識別結果を出力する軟判定ＦＥＣ復号化回路と、識別レベル毎のマーク／スペースの識別結果に基づいてマーク／スペースの識別頻度の確率密度分布を推定する確率密度分布推定回路と、確率密度分布に基づいて軟判定識別器における２n−１個の識別器の識別レベルを制御する閾値制御回路とを備えるように構成したので、光受信信号の品質が劣化しても、高品質なサービスを提供することが可能な高速・大容量の光受信装置を実現することができる効果がある。
【０１２４】
この発明によれば、電気受信信号を２ｎ−１個の識別器で識別し、識別結果を出力すると共に、２ｎ−１個の識別器以外に識別レベルを掃引する１個以上の識別器を設けて、電気受信信号を識別し、識別結果を出力する軟判定識別器と、２ｎ−１個の識別結果を、信頼度情報を持たせたｎビット並列符号に符号化する符号化器と、ｎビット並列符号から、信頼度情報に基づいて誤り訂正を行い、誤り訂正後の受信信号を出力すると共に、各識別レベル毎の判別結果を出力する軟判定ＦＥＣ復号化回路と、各識別レベル毎の情報データの判別結果の分布、および軟判定識別器の識別レベルを掃引する１個以上の識別器による識別結果に基づいて確率密度分布を推定する確率密度分布推定回路と、確率密度分布に基づいて軟判定識別器における２ｎ−１個の識別器の識別レベルを制御する閾値制御回路と、確率密度分布に基づいて軟判定識別器における識別レベルを掃引する１個以上の識別器の識別レベルを制御する閾値掃引制御回路とを備えるように構成したので、光受信信号の品質が劣化しても、高品質なサービスを提供することが可能な高速・大容量の光受信装置を実現することができる。
また、２ｎ−１個以外に識別レベルを掃引する識別器を加えることで、より正確に確率密度分布を推定でき、各識別器の識別レベルを高精度に制御することができる効果がある。
【０１２５】
この発明によれば、電気受信信号を２ｎ個以上の識別器で識別し、識別結果を出力する軟判定識別器と、２ｎ個以上の識別器の識別結果から２ｎ−１個の識別器の識別結果を選択するセレクタと、２ｎ−１個の識別結果を、信頼度情報を持たせたｎビット並列符号に符号化する符号化器と、ｎビット並列符号から、信頼度情報に基づいて誤り訂正を行い、誤り訂正後の並列受信信号を出力すると共に、各識別レベル毎の判別結果を出力する軟判定ＦＥＣ復号化回路と、各識別レベル毎の情報データの判別結果の分布に基づいて確率密度分布を推定する確率密度分布推定回路と、確率密度分布に基づいてセレクタにおける２ｎ−１個の識別器の選択信号を出力する識別器選択制御回路とを備えるように構成したので、光受信信号の品質が劣化しても、高品質なサービスを提供することが可能な高速・大容量の光受信装置を実現することができる。
また、符号化に必要な識別器以上の多数の識別器を備えた構成により、微細な識別レベルの制御を行わなくても、容易に精度良く識別器識別分布を得ることができる効果がある。
【０１２６】
この発明によれば、電気受信信号を２ｎ−１個の識別器で識別し、識別結果を出力すると共に、２ｎ−１個の識別器以外に識別レベルを掃引する１個以上の識別器、および識別位相を掃引する１個以上の識別器を設けて、電気受信信号を識別し、識別結果を出力する軟判定識別器と、２ｎ−１個の識別結果を、信頼度情報を持たせたｎビット並列符号に符号化する符号化器と、ｎビット並列符号から、信頼度情報に基づいて誤り訂正を行い、誤り訂正後の並列受信信号を出力すると共に、各識別レベル毎の判別結果を出力する軟判定ＦＥＣ復号化回路と、各識別レベル毎の情報データの判別結果の分布、および軟判定識別器の識別レベルを掃引する１個以上の識別器、および識別位相を掃引する１個以上の識別器による識別結果に基づいて確率密度分布を推定する確率密度分布推定回路と、確率密度分布に基づいて軟判定識別器における２ｎ−１個の識別器の識別レベルを制御する閾値制御回路と、確率密度分布に基づいて軟判定識別器における識別レベルを掃引する１個以上の識別器の識別レベルを制御する閾値掃引制御回路と、確率密度分布に基づいて軟判定識別器における２ｎ−１個の識別器、および識別レベルを掃引する１個以上の識別器の識別位相を制御するクロック位相制御回路と、確率密度分布に基づいて軟判定識別器における識別位相を掃引する１個以上の識別器の識別位相を制御する掃引識別器用クロック位相制御回路とを備えるように構成したので、光受信信号の品質が劣化しても、高品質なサービスを提供することが可能な高速・大容量の光受信装置を実現することができる。
また、２ｎ−１個の識別器以外に識別位相を掃引する１個以上の識別器を加えることで、最適識別位相を判明することができると共に、識別レベルを掃引する識別器を加えることで、その最適識別位相でより正確に確率密度分布を推定でき、各識別器の識別レベルを高精度に制御することができる効果がある。
【０１２７】
この発明によれば、電気受信信号を２ｎ−１個の識別器で識別し、識別結果を出力すると共に、２ｎ−１個の識別器以外に識別レベルを掃引する１個以上の識別器、および識別位相を掃引する１個以上の識別器を設けて、電気受信信号を識別し、識別結果を出力する軟判定識別器と、識別レベルを掃引する１個以上の識別器の識別結果、または識別位相を掃引する１個以上の識別器の識別結果を選択するセレクタと、２ｎ−１個の識別結果を、信頼度情報を持たせたｎビット並列符号に符号化する符号化器と、ｎビット並列符号から、信頼度情報に基づいて誤り訂正を行い、誤り訂正後の並列受信信号を出力すると共に、各識別レベル毎の判別結果を出力する軟判定ＦＥＣ復号化回路と、各識別レベル毎の情報データの判別結果の分布、および軟判定識別器の識別レベルを掃引する１個以上の識別器、または識別位相を掃引する１個以上の識別器による識別結果に基づいて確率密度分布を推定する確率密度分布推定回路と、確率密度分布に基づいて軟判定識別器における２ｎ−１個の識別器の識別レベルを制御する閾値制御回路と、確率密度分布に基づいて軟判定識別器における識別レベルを掃引する１個以上の識別器の識別レベルを制御する閾値掃引制御回路と、確率密度分布に基づいて軟判定識別器における２ｎ−１個の識別器、および識別レベルを掃引する１個以上の識別器の識別位相を制御するクロック位相制御回路と、確率密度分布に基づいて軟判定識別器における識別位相を掃引する１個以上の識別器の識別位相を制御する掃引識別器用クロック位相制御回路とを備えるように構成したので、光受信信号の品質が劣化しても、高品質なサービスを提供することが可能な高速・大容量の光受信装置を実現することができる。
また、２ｎ−１個の識別器以外に識別位相を掃引する１個以上の識別器を加えることで、最適識別位相を判明することができると共に、識別レベルを掃引する識別器を加えることで、その最適識別位相でより正確に確率密度分布を推定でき、各識別器の識別レベルを高精度に制御することができる効果がある。
【０１２８】
この発明によれば、電気受信信号を２ｎ−１個の識別器で識別し、識別結果を出力すると共に、２ｎ−１個の識別器以外に識別レベルおよび識別位相を掃引する１個以上の識別器を設けて、電気受信信号を識別し、識別結果を出力する軟判定識別器と、２ｎ−１個の識別結果を、信頼度情報を持たせたｎビット並列符号に符号化する符号化器と、ｎビット並列符号から、信頼度情報に基づいて誤り訂正を行い、誤り訂正後の並列受信信号を出力すると共に、各識別レベル毎の判別結果を出力する軟判定ＦＥＣ復号化回路と、各識別レベル毎の情報データの判別結果の分布、および軟判定識別器の識別レベルおよび識別位相を掃引する１個以上の識別器による識別結果に基づいて確率密度分布を推定する確率密度分布推定回路と、確率密度分布に基づいて軟判定識別器における２ｎ−１個の識別器の識別レベルを制御する閾値制御回路と、確率密度分布に基づいて軟判定識別器における識別レベルおよび識別位相を掃引する１個以上の識別器の識別レベルを制御する閾値掃引制御回路と、確率密度分布に基づいて軟判定識別器における２ｎ−１個の識別器の識別位相を制御するクロック位相制御回路と、確率密度分布に基づいて軟判定識別器における識別レベルおよび識別位相を掃引する１個以上の識別器の識別位相を制御する掃引識別器用クロック位相制御回路とを備えるように構成したので、光受信信号の品質が劣化しても、高品質なサービスを提供することが可能な高速・大容量の光受信装置を実現することができる。
また、２ｎ−１個の識別器以外に識別レベルおよび識別位相を掃引する１個以上の識別器を加えることで、最適識別位相を判明することができると共に、その最適識別位相でより正確に確率密度分布を推定でき、各識別器の識別レベルを高精度に制御することができる。
さらに、識別レベルおよび識別位相を掃引する識別器は、１個で済ますことができ、簡易な回路構成を実現できる効果がある。
【０１２９】
この発明によれば、電気受信信号を２ｎ−１個の識別器で識別し、識別結果を出力すると共に、２ｎ−１個の識別器以外に識別レベルを掃引する１個以上の識別器を設けて、電気受信信号を識別し、識別結果を出力する軟判定識別器と、２ｎ−１個の識別結果を、信頼度情報を持たせたｎビット並列符号に符号化する符号化器と、ｎビット並列符号から、信頼度情報に基づいて誤り訂正を行い、誤り訂正後の並列受信信号を出力すると共に、各識別レベル毎の判別結果を出力する軟判定ＦＥＣ復号化回路と、各識別レベル毎の情報データの判別結果の分布、および軟判定識別器の識別レベルを掃引する１個以上の識別器による識別結果に基づいて確率密度分布を推定する確率密度分布推定回路と、確率密度分布に基づいて軟判定識別器における２ｎ−１個の識別器の識別レベルを制御する閾値制御回路と、確率密度分布に基づいて軟判定識別器における識別レベルを掃引する１個以上の識別器の識別レベルを制御する閾値掃引制御回路と、軟判定ＦＥＣ復号化回路による誤り訂正後の誤りカウント数に基づいて軟判定識別器における２ｎ−１個の識別器、および識別レベルを掃引する１個以上の識別器の識別位相を制御するクロック位相制御回路とを備えるように構成したので、光受信信号の品質が劣化しても、高品質なサービスを提供することが可能な高速・大容量の光受信装置を実現することができる。
また、２ｎ−１個の識別器以外に識別レベルを掃引する１個以上の識別器を加えることで、最適識別位相を判明することができると共に、その最適識別位相でより正確に確率密度分布を推定でき、各識別器の識別レベルを高精度に制御することができる。
さらに、識別レベルを掃引する識別器は、１個で済ますことができ、掃引識別器用クロック位相制御回路を設ける必要が無く、簡易な回路構成を実現できる効果がある。
【０１３０】
この発明によれば、閾値制御回路において、確率密度分布推定回路によって推定される確率密度分布が最適な分布になるように、軟判定識別器における２ｎ−１個の識別器の識別レベルを制御するように構成したので、識別器の識別レベルを最適制御することによって、伝送品質を向上させることができる効果がある。
【０１３１】
この発明によれば、確率密度分布推定回路において、２ｎ−１個の識別器のうちの少なくとも１つ以上の判別結果、および識別レベルを掃引する１個以上の識別器の判別結果に基づいて確率密度分布を推定し、閾値制御回路において、確率密度分布推定回路によって推定される確率密度分布が最適な分布になるように、識別レベルを制御するように構成したので、識別器の識別レベルを最適制御することによって、伝送品質を向上させることができる効果がある。
【０１３２】
この発明によれば、確率密度分布推定回路において、識別レベルを掃引する１個以上の識別器の判別結果に基づいて確率密度分布を推定し、閾値制御回路において、確率密度分布推定回路によって推定される確率密度分布に基づいて、２ｎ−１個の識別器から得られる確率密度分布が最適な分布になるように、識別レベルを制御するように構成したので、識別器の識別レベルを最適制御することによって、伝送品質を向上させることができる効果がある。
【０１３３】
この発明によれば、識別器選択制御回路において、確率密度分布推定回路によって推定される確率密度分布が最適な分布になるように、セレクタにおける２ｎ−１個の識別器の選択信号を出力するように構成したので、識別器の選択信号を最適制御することによって、伝送品質を向上させることができる効果がある。
【０１３４】
この発明によれば、最適な確率密度分布を、正規分布であるように構成したので、伝送品質を向上させることができる効果がある。
【０１３５】
この発明によれば、符号化器において、２ｎ−１個の識別結果のうちの中央の識別レベルでの硬判定の識別結果と、中央の識別レベル以外の識別結果に基づくその硬判定の識別結果に対応した信頼度情報とからなるｎビット並列符号に符号化するように構成したので、符号化器と軟判定ＦＥＣ復号化回路との間に同期補足のためのフレーム同期やデスクランブル処理を設けた場合には、硬判定の識別結果に対してのみ処理を行えばよいため、簡易な回路構成で実現することができる効果がある。
【０１３６】
この発明によれば、符号化器において、軟判定識別器の出力に有り得ない識別結果が得られた場合に、優先度情報に従って符号化するように構成したので、軟判定識別器の識別結果に誤りが生じても、優先度情報に従って符号化することにより、符号化器での符号化が行えないパタンが生じるのを防ぐことができる効果がある。
【０１３７】
この発明によれば、優先度情報を、識別結果のうちの中央の識別レベルでの識別結果ほど優先度を高くするように構成したので、軟判定識別器の識別結果に誤りが生じても、優先度情報に従って符号化することにより、符号化器での符号化が行えないパタンが生じるのを防ぐことができる効果がある。
【０１３８】
この発明によれば、符号化器において、中央の識別レベル以外の識別結果として有り得ない識別結果が出力された場合に、符号化可能なパタンへ訂正するビット数が最も少ないパタンに訂正し、訂正後のパタンが複数ある場合には、中央の識別レベルでの識別結果ほど訂正が無いパタンを訂正パタンとし、その訂正パタンに応じて信頼度情報を生成するように構成したので、識別器で識別誤りが生じても、訂正ビット数が少なくなるパタンを訂正パタンとし、中央ほど誤らないとの優先度情報に基づいて識別誤りを訂正するため、符号化器での符号化が行えないパタンが生じるのを防ぐことができる効果がある。
【０１３９】
この発明によれば、符号化器において、２ｎ−１個の識別結果のうちの高い識別レベルに設定された識別器での有意の識別結果を優先し、その識別結果を有意とした高い識別レベルに応じて、硬判定の識別結果およびその硬判定の識別結果に対応した信頼度情報とからなるｎビット並列符号に符号化するように構成したので、識別器で識別誤りが生じても、高い識別レベルに設定された有意の識別結果を優先するとの優先度情報に基いて識別器誤りを訂正し、符号化器での符号化が行えないパタンが生じるのを防ぐことができる効果がある。
【０１４０】
この発明によれば、符号化器において、２ｎ−１個の識別結果のうちの低い識別レベルに設定された識別器での無意の識別結果を優先し、その識別結果を無意とした低い識別レベルに応じて、硬判定の識別結果およびその硬判定の識別結果に対応した信頼度情報とからなるｎビット並列符号に符号化するように構成したので、識別器で識別誤りが生じても、低い識別レベルに設定された無意の識別結果を優先するとの優先度情報に基いて識別器誤りを訂正し、符号化器での符号化が行えないパタンが生じるのを防ぐことができる効果がある。
【０１４１】
この発明によれば、符号化器において、中央の識別レベルより高い識別レベルに設定された識別器の識別結果または中央の識別レベルより低い識別レベルに設定された識別器の識別結果の有意または無意の識別個数に応じて信頼度情報を生成するように構成したので、識別器で識別誤りが生じても、上側、下側の識別レベルの順序は無く、有意または無意の識別個数から符号化を行うため、符号化が行えないパタンが生じるのを防ぐことができる効果がある。
【０１４２】
この発明によれば、符号化器において、２ｎ−１個の識別結果の有意または無意の識別個数に応じて、硬判定の識別結果およびその硬判定の識別結果に対応した信頼度情報とからなるｎビット並列符号に符号化するように構成したので、識別器で識別誤りが生じても、識別器の識別順序は無く、有意または無意の識別個数から符号化を行うため、符号化が行えないパタンが生じるのを防ぐことができる効果がある。
【０１４３】
この発明によれば、有意優先ビット符号化回路または無意優先ビット符号化回路によって符号化された一方のｎビット並列符号を選択して出力すると共に、その出力した少なくとも１つ以上前のｎビット並列符号に基づいて、それら有意優先ビット符号化回路または無意優先ビット符号化回路によって符号化されたｎビット並列符号の選択を切換える優先度選択回路を備えるように構成したので、識別器による識別誤りが生じている場合に、有意または無意よりの識別をすることができ、より精度の高い誤り訂正ができる効果がある。
【０１４４】
この発明によれば、符号化器において、２ｎ−１個の識別結果のうちの上端下端の識別レベルに設定された識別器での識別結果を優先し、それら識別結果として有り得ない識別結果が得られた場合に、１つ内側の識別レベルに設定された識別器での識別結果に基づいて訂正して、硬判定の識別結果およびその硬判定の識別結果に対応した信頼度情報とからなるｎビット並列符号に符号化するように構成したので、識別器で識別誤りが生じても、端の識別器ほど誤らず、端の識別器の識別結果が有り得ないパタンであれば、１つ内側の識別器の識別結果に基き訂正するとの優先度情報に従って符号化を行うため、符号化が行えないパタンが生じるのを防ぐことができる効果がある。
【０１４５】
この発明によれば、各識別器からの判別結果の分布が同一になるように閾値制御回路から各識別器への識別レベルを制御させ、それら各識別器を制御する識別レベルの差から各識別レベル誤差を検出する識別レベル誤差検出部を備え、閾値制御回路において、軟判定識別器における２ｎ−１個の識別器の識別レベルを識別レベル誤差検出部によって検出された各識別レベル誤差で補正して制御するように構成したので、各識別レベル誤差で補正した識別レベルで２ｎ−１個の識別器を制御することにより、より伝送品質を向上させることができる効果がある。
【０１４６】
この発明によれば、識別レベルを掃引する識別器からの識別結果と各識別器からの識別結果とが同一になるように閾値制御回路から各識別器への識別レベルを制御させ、閾値掃引制御回路からの識別レベルを掃引する識別器を制御する識別レベルとその閾値制御回路からのそれら各識別器を制御する識別レベルの差から各識別レベル誤差を検出する識別レベル誤差検出部を備え、閾値制御回路において、軟判定識別器における２ｎ−１個の識別器の識別レベルを識別レベル誤差検出部によって検出された各識別レベル誤差で補正して制御するように構成したので、各識別レベル誤差で補正した識別レベルで２ｎ−１個の識別器を制御することにより、より伝送品質を向上させることができる効果がある。
【０１４７】
この発明によれば、確率密度分布推定手段および識別レベル制御手段を、軟判定誤り訂正復号化手段によって出力された各識別レベル毎の情報データの判別結果を保持するレジスタと、レジスタに保持された判別結果に基づいて確率密度分布を推定し、その推定した確率密度分布に基づいて軟判定識別手段における複数の識別レベルを制御するディジタル演算処理部とするように構成したので、光受信信号の品質が劣化しても、高品質なサービスを提供することが可能な高速・大容量の光受信装置を実現することができる効果がある。
【図面の簡単な説明】
【図１】  この発明の実施の形態１による光受信装置を示す構成図である。
【図２】  この発明の実施の形態１による光受信装置の詳細を示す構成図である。
【図３】  電気受信波形に対する各識別器の識別レベルを示す説明図である。
【図４】  各識別器のマークとスペースの８通りの識別結果を示す説明図である。
【図５】  ８通りの識別結果を３ビット符号化した例を示す説明図である。
【図６】  ｎビット符号化の手順を示すフローチャートである。
【図７】  電気受信波形に対する識別レベルの関係を示す説明図である。
【図８】  電気受信波形に対する帰還制御前と後での各識別器でのマークとスペースの識別頻度を示す特性図である。
【図９】  この発明の実施の形態１による帰還制御により各識別器の識別レベルを制御する手法を示すフローチャートである。
【図１０】  この発明の実施の形態２による光受信装置の詳細を示す構成図である。
【図１１】  この発明の実施の形態２による帰還制御により各識別器の識別レベルを制御する手法を示すフローチャートである。
【図１２】  この発明の実施の形態３による光受信装置の詳細を示す構成図である。
【図１３】  この発明の実施の形態４による光受信装置の詳細を示す構成図である。
【図１４】  識別位相および識別レベルの探索手法を示す説明図である。
【図１５】  識別位相の探索手法を示す説明図である。
【図１６】  識別レベルＤ+1での識別頻度を示す特性図である。
【図１７】  識別レベルＤ-1での識別頻度を示す特性図である。
【図１８】  識別レベルの探索手法を示す説明図である。
【図１９】  各識別レベルでの識別頻度を示す特性図である。
【図２０】  この発明の実施の形態５による信号フォーマットを示す説明図である。
【図２１】  識別レベルＤ+1での識別頻度を示す特性図である。
【図２２】  識別レベルＤ-1での識別頻度を示す特性図である。
【図２３】  この発明の実施の形態６による光受信装置の詳細を示す構成図である。
【図２４】  この発明の実施の形態７による光受信装置の詳細を示す構成図である。
【図２５】  識別位相および識別レベルの探索手法を示す説明図である。
【図２６】  識別位相の探索手法を示す説明図である。
【図２７】  各識別位相での識別頻度を示す特性図である。
【図２８】  この発明の実施の形態８による信号フォーマットを示す説明図である。
【図２９】  各識別位相での識別頻度を示す特性図である。
【図３０】  この発明の実施の形態９による光受信装置の詳細を示す構成図である。
【図３１】  この発明の実施の形態１０による符号化器におけるｎビット符号化の手順を示すフローチャートである。
【図３２】  全識別結果パタンを示す説明図である。
【図３３】  全識別結果パタンからの符号化結果を示す説明図である。
【図３４】  この発明の実施の形態１１による符号化器において識別誤りを訂正する手法を示す説明図である。
【図３５】  この発明の実施の形態１２による識別器が誤り無く動作した時の通常の識別結果を示す説明図である。
【図３６】  識別器で識別誤りが生じても、符号化が行える符号化方法の一例を示す説明図である。
【図３７】  優先度情報に基いた符号化パタンを示す説明図である。
【図３８】  この発明の実施の形態１３による識別器で識別誤りが生じても、符号化が行える符号化方法の一例を示す説明図である。
【図３９】  優先度情報に基いた符号化パタンを示す説明図である。
【図４０】  この発明の実施の形態１４による識別器で識別誤りが生じても、符号化が行える符号化方法の一例を示す説明図である。
【図４１】  優先度情報に基いた符号化パタンを示す説明図である。
【図４２】  この発明の実施の形態１５による識別器で識別誤りが生じても、符号化が行える符号化方法の一例を示す説明図である。
【図４３】  優先度情報に基いた符号化パタンを示す説明図である。
【図４４】  この発明の実施の形態１６による識別器で識別誤りが生じても、符号化が行える符号化方法の一例を示す説明図である。
【図４５】  優先度情報に基いた符号化パタンを示す説明図である。
【図４６】  この発明の実施の形態１７による受信ビット列に対する受信波形を示す説明図である。
【図４７】  優先度の変更が可能となる符号化器の内部構成を示す構成図である。
【図４８】  この発明の実施の形態１８による識別器で誤りが生じても、符号化が行える符号化方法の一例を示す説明図である。
【図４９】  符号化手順を示す説明図である。
【図５０】  符号化パタンを示す説明図である。
【図５１】  この発明の実施の形態１９による電源投入時に各識別器のマークとスペースの識別頻度から個体差を検出する手法を示す説明図である。
【図５２】  個体差を検出する処理手順を示すフローチャートである。
【図５３】  この発明の実施の形態２０による光受信装置の詳細を示す構成図である。
【図５４】  識別器の個体差調整を行う手順を示すフローチャートである。
【図５５】  この発明の実施の形態２１による光受信装置の詳細を示す構成図である。
【図５６】  この発明の実施の形態２２による光受信装置の詳細を示す構成図である。
【図５７】  この発明の実施の形態２３による光受信装置を示す構成図である。
【図５８】  ディジタル演算処理部の処理手順を示すフローチャートである。
【図５９】  この発明の実施の形態２４による光受信装置を示す構成図である。
【図６０】  従来の光受信装置を示す構成図である。
【図６１】  硬判定識別手段に入力される電気受信信号を示す波形図である。
【符号の説明】
１  光受信装置、２  伝送路、３  光電気変換手段、５  多重分離手段、７  軟判定識別手段、８  軟判定ＦＥＣ復号化手段（軟判定誤り訂正復号化手段）、９  確率密度分布推定手段、１０  識別レベル制御手段、１１  フォトダイオード、１２  軟判定識別部、１３  識別器（軟判定識別器）、１４  符号化器、１５  多重分離部、１６  １：１６多重分離回路（多重分離回路）、１７  ＦＥＣ復号部、１８  軟判定ＦＥＣ復号化回路、１９  確率密度分布推定回路、２０  閾値制御回路、２１，２５，２６，３０  掃引用識別器（識別器）、２２  閾値掃引制御回路、２３，２９，３１〜３３  セレクタ、２４  識別器選択制御回路、２７  クロック位相制御回路、２８  掃引識別器用クロック位相制御回路、３４  符号化回路、３５  比較器、３６  レジスタ、３７  ディジタル演算処理部、３８  Ｄ／Ａ変換部、４１  符号化回路（有意優先ビット符号化回路）、４２符号化回路（無意優先ビット符号化回路）、４３  優先度選択回路。
【図１】
0003863058.tif 000002
【図２】
0003863058.tif 000003
【図３】
0003863058.tif 000004
【図４】
0003863058.tif 000005
【図５】
0003863058.tif 000006
【図６】
0003863058.tif 000007
【図７】
0003863058.tif 000008
【図８】
0003863058.tif 000009
【図９】
0003863058.tif 000010
【図１０】
0003863058.tif 000011
【図１１】
0003863058.tif 000012
【図１２】
0003863058.tif 000013
【図１３】
0003863058.tif 000014
【図１４】
0003863058.tif 000015
【図１５】
0003863058.tif 000016
【図１６】
0003863058.tif 000017
【図１７】
0003863058.tif 000018
【図１８】
0003863058.tif 000019
【図１９】
0003863058.tif 000020
【図２０】
0003863058.tif 000021
【図２１】
0003863058.tif 000022
【図２２】
0003863058.tif 000023
【図２３】
0003863058.tif 000024
【図２４】
0003863058.tif 000025
【図２５】
0003863058.tif 000026
【図２６】
0003863058.tif 000027
【図２７】
0003863058.tif 000028
【図２８】
0003863058.tif 000029
【図２９】
0003863058.tif 000030
【図３０】
0003863058.tif 000031
【図３１】
0003863058.tif 000032
【図３２】
0003863058.tif 000033
【図３３】
0003863058.tif 000034
【図３４】
0003863058.tif 000035
【図３５】
0003863058.tif 000036
【図３６】
0003863058.tif 000037
【図３７】
0003863058.tif 000038
【図３８】
0003863058.tif 000039
【図３９】
0003863058.tif 000040
【図４０】
0003863058.tif 000041
【図４１】
0003863058.tif 000042
【図４２】
0003863058.tif 000043
【図４３】
0003863058.tif 000044
【図４４】
0003863058.tif 000045
【図４５】
0003863058.tif 000046
【図４６】
0003863058.tif 000047
【図４７】
0003863058.tif 000048
【図４８】
0003863058.tif 000049
【図４９】
0003863058.tif 000050
【図５０】
0003863058.tif 000051
【図５１】
0003863058.tif 000052
【図５２】
0003863058.tif 000053
【図５３】
0003863058.tif 000054
【図５４】
0003863058.tif 000055
【図５５】
0003863058.tif 000056
【図５６】
0003863058.tif 000057
【図５７】
0003863058.tif 000058
【図５８】
0003863058.tif 000059
【図５９】
0003863058.tif 000060
【図６０】
0003863058.tif 000061
【図６１】
0003863058.tif 000062